(57)【要約】【課題】マルチキャリア無線端末のために電力調整（ｐｏｗｅｒ  ｓｃａｌｉｎｇ）するための方法および装置を提供する。【解決手段】ＷＴＲＵの合計送信電力が所定値を超えるという条件で、電力測定基準に基づいて複数のキャリアから少なくとも１つのキャリアを選択するステップでと、ＷＴＲＵの合計送信電力が少なくとも所定値を満たすまで、選択されたキャリアの少なくとも１つのチャネルに電力調整を適用する。【選択図】図６Ａ
2014003684.tif 000002
【特許請求の範囲】
【請求項１】
マルチキャリア無線送受信ユニット（ＷＴＲＵ）において電力調整する方法であって、
ＷＴＲＵの合計送信電力が所定値を超えるかどうかを判断するステップと、
前記ＷＴＲＵの合計送信電力が所定値を超えるという条件で、複数のキャリアから少なくとも１つのキャリアを選択するステップであって、前記少なくとも１つのキャリアの選択は、電力測定基準に基づいている、ステップと、
前記ＷＴＲＵの合計送信電力が少なくとも前記所定値を満たすまで、選択されたキャリアの少なくとも１つのチャネルに電力調整を適用するステップと、
を含むことを特徴とする方法。
【請求項２】
前記電力測定基準は、制御チャネルの電力レベルまたはＷＴＲＵパワーヘッドルームの１つであることを特徴とする請求項１に記載の方法。
【請求項３】
前記選択されたキャリアは、最も高い電力レベルを持つ前記制御チャネルに関係することを特徴とする請求項２に記載の方法。
【請求項４】
前記少なくとも１つのチャネルはデータチャネルであることを特徴とする請求項１に記載の方法。
【請求項５】
複数のデータチャネルは等しく電力調整されることを特徴とする請求項４に記載の方法。
【発明の詳細な説明】
【技術分野】
【０００１】
本出願は無線通信に関する。
【背景技術】
【０００２】
無線発信機は、一般的に合計送信電力が制限されている。制限は、規制機関またはバッテリーもしくは電力増幅器の技術によって課されるものである。この電力制限のために無線利用範囲が縮小され可能性がある。たとえば、無線送受信ユニット（ＷＴＲＵ）がその基地局から離れると、典型的にはＷＴＲＵはその送信電力を高めて基地局での品質と同じレベルを維持する。ＷＴＲＵの出力電力は電力制御ループ（ｐｏｗｅｒ  ｃｏｎｔｒｏｌ  ｌｏｏｐ）を介して基地局によって制御される。ＷＴＲＵがその最大電力に達して、基地局で望まれる信号品質を維持するために電力を高められなくなると、電力調整が適用される。これが発生するのは、たとえば、ＷＴＲＵがセルエッジに接近している場合、またはＷＴＲＵが信号減衰が大きい地域に入った場合である。
【０００３】
無線通信システムは、継続的かつより高速なアクセスをデータネットワークに提供するというニーズを満たすために進化し続けている。これらのニーズを満たすために、無線通信システムはデータの伝送に複数のキャリアを使用することができる。データの伝送に複数のキャリアを使用する無線通信システムは、マルチキャリアシステムと呼ぶことができる。複数のキャリアの使用は、セルラー式およびセルラー式でない無線システムで拡大している。
【０００４】
マルチキャリアシステムは、利用可能になるキャリアの倍数に従って無線通信システムで利用可能な帯域幅を増加させることができる。たとえば、デュアルキャリアシステム（ｄｕａｌ  ｃａｒｒｉｅｒ  ｓｙｓｔｅｍ）では、シングルキャリアシステムと比較して帯域幅を２倍にすることができ、トライキャリアシステム（ｔｒｉ−ｃａｒｒｉｅｒ  ｓｙｓｔｅｍ）では、シングルキャリアシステムと比較して帯域幅を３倍にすることができる、という具合である。マルチキャリアシステムでは、ＷＴＲＵは、たとえば、２つの隣接するキャリアを通じて伝送することができる。電力増幅器は複数のキャリアで共通であると想定できるため、合計電力は複数のキャリア間の共有リソースである。マルチキャリア無線端末のために電力調整する方法および装置が望まれる。
【発明の概要】
【０００５】
関連出願の相互参照
本出願は、２００９年４月２３日に出願した米国特許仮出願第６１／１７２，１０９号明細書、２００９年６月１９日に出願した米国特許仮出願第６１／２１８，８３０号明細書、および２００９年８月２１日に出願した米国特許仮出願第６１／２３５，８０３号明細書の利益を主張するものであり、これらは、本明細書に完全に記述されているかのように参照により組み込まれている。
【０００６】
マルチキャリア無線端末のために電力調整する方法および装置を開示する。マルチキャリアＷＴＲＵがその最大出力電力に達したときに電力調整するための方法およびメカニズムを提供する。
【図面の簡単な説明】
【０００７】
より詳細には、添付の図面とともに例として提供される、以下の記述から理解できるであろう。
【０００８】
【図１】複数の無線送受信ユニット（ＷＴＲＵ）、ノードＢ、制御する側の無線ネットワーク制御装置（ＣＲＮＣ）、サービスを提供する無線ネットワーク制御装置（ＳＲＮＣ）、およびコアネットワークを含む例示的な無線通信システムを示す図である。
【図２】図１の無線通信システムのＷＴＲＵおよびノードＢの例示的な機能ブロック図である。
【図３】ＬＴＥ（Ｌｏｎｇ  Ｔｅｒｍ  Ｅｖｏｌｕｔｉｏｎ）の例示的な無線通信システム／アクセスネットワークを示す図である。
【図４】図３のＬＴＥ無線通信システムのＷＴＲＵおよび基地局の例示的なブロック図である。
【図５】複数のキャリアを使用する無線通信の例を示す図である。
【図６Ａ】マルチキャリアＷＴＲＵのために電力調整するための例示的なフローチャートである。
【図６Ｂ】マルチキャリアＷＴＲＵのために電力調整するための他の例示的なフローチャートである。
【図７】マルチキャリアＷＴＲＵのために電力調整するための他の例示的なフローチャートである。
【発明を実施するための形態】
【０００９】
以下、「無線送受信ユニット（ＷＴＲＵ）」という用語は、利用者装置（ＵＥ）、移動局、固定もしくは移動可能な加入者端末、携帯無線呼出し器、携帯電話、携帯情報端末（ＰＤＡ）、コンピュータ、または無線環境において動作可能なその他のあらゆる種類の装置を含むが、これらには限定されない。以下、「基地局」という用語は、ノードＢ、サイトコントローラ、アクセスポイント（ＡＰ）、または無線環境において動作可能なその他のあらゆる種類の接続装置を含むが、これらには限定されない。
【００１０】
複数のアップリンクおよびダウンリンクのキャリアをＷＴＲＵに対して構成することができる。複数のキャリアは隣接していても隣接しなくてもよく、同じ周波数もしくは無線帯域および／または周波数の範囲であってもなくてもよい。一実施形態では、複数のキャリアは、同じ帯域において隣接する４つのダウンリンクキャリアを含み、同じ帯域に１つまたは２つのアップリンクキャリアを含むことができるが、これに限定されない。他の実施形態では、複数のキャリアは、２つの異なる帯域にまたがる２つの隣接するダウンリンクキャリアを２対およびそれぞれの帯域に２つのアップリンクキャリアを含むことができるが、これに限定されない。さらに他の実施形態では、複数のキャリアは、同じ帯域に３つの隣接するダウンリンクキャリアを含み、同じ帯域に１つまたは２つの（隣接する）アップリンクキャリアを含むことができるが、これに限定されない。また、複数のアップリンクおよびダウンリンクのキャリアは、キャリアのサイズおよびキャリアの数に関して、対称の構成および非対称の構成で動作するように構成することができる。また、キャリアはコンポーネントキャリアと呼ぶこともできる。
【００１１】
一般に、ネットワークは、少なくとも１つのダウンリンクおよび／または少なくとも１つのアップリンクのキャリアをアンカーダウンリンクキャリアおよびアンカーアップリンクキャリアとしてそれぞれ割り当てることができる。マルチキャリア運用においては、ＷＴＲＵは、２つ以上のキャリアを用いて動作するように構成することができる。また、キャリアは周波数として、または周波数によって参照することができる。これらのキャリアはそれぞれ、個別の特性ならびにネットワークおよびＷＴＲＵとの論理的な関連を持つことができ、動作周波数はグループ化され、アンカーまたは主要キャリアおよび補助キャリアまたは第２のキャリアと呼ぶことができる。２つを超えるキャリアを構成する場合は、ＷＴＲＵは、複数の主要キャリアおよび／または複数の第２のキャリアを受信するように構成される必要がある場合がある。たとえば、アンカーキャリアは、ダウンリンク／アップリンクの伝送のために特定の組の制御情報を運ぶためのキャリアとして定義することができる。アンカーキャリアとして割り当てられていない任意のキャリアは、補助キャリアとなることができる。あるいは、ネットワークはアンカーキャリアを割り当てなくてもよく、優先度、選択、またはデフォルトの状態を任意のダウンリンクまたはアップリンクのキャリアに与えなくてもよい。以下、本明細書において、「アンカーキャリア」、「主要キャリア」、「アップリンクキャリア１」、「第１のキャリア」、および「第１のアップリンクキャリア」という用語は、便宜上、区別なく使用する。同様に、「補助キャリア」、「第２のキャリア」、「アップリンクキャリア２」、「第２のキャリア」、および「第２のアップリンクキャリア」という用語も本明細書において区別なく使用する。「アップリンク」という用語を使用しているが、「ダウンリンク」という用語も等しく適用することができる。マルチキャリア運用においては、複数の補助キャリアまたは第２のキャリアが存在することができる。
【００１２】
「アンカーキャリア」という用語は、ＷＴＲＵに割り当てられたアップリンク周波数キャリアに関連するダウンリンク周波数キャリアを示すことができ、「補助キャリア」という用語は、アンカーキャリアでないダウンリンク周波数キャリアを示すことができる。アップリンク「アンカー」キャリアは、明示的な構成によって、または特定のアップリンク／ダウンリンクのキャリア間隔による暗示の関連によって、ダウンリンクアンカーキャリアに関連するアップリンクキャリアを示すことができる。
【００１３】
ダウンリンク「アンカー」キャリアという用語は、Ｆ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ）（図５に示す）、Ｅ−ＡＧＣＨ（Ｅｎｈａｎｃｅｄ−Ａｂｓｏｌｕｔｅ  Ｇｒａｎｔ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、および他のそのようなチャネルなどダウンリンク制御チャネルを運ぶダウンリンクキャリアを示すことができるが、これらに限定されない。共通パイロットチャネル（ＣＰＩＣＨ）、高速共有制御チャネル（ＨＳ−ＳＣＣＨ）、および高速物理ダウンリンク共有チャネル（ＨＳ−ＰＤＳＣＨ）などの他の物理チャネルは、補助キャリアまたは第２のキャリアなど、任意のダウンリンクキャリアから読み込むことができる。複数のダウンリンクキャリアが１つまたは複数のアップリンクキャリアに関連するダウンリンク制御チャネルを運ぶ場合、ダウンリンク「アンカー」キャリアは、「アンカー」キャリア属性を用いて構成されたダウンリンクキャリアを示すことができる。あるいは、ダウンリンク「アンカー」キャリアという用語は、サービスを提供する高速ダウンリンク共有チャネル（ＨＳ−ＤＳＣＨ）セルが伝送されるダウンリンクキャリアを示すことができる。必要に応じて、単一のダウンリンクキャリアがＷＴＲＵに対して構成されている場合、単一のダウンリンクキャリアは主要なダウンリンクキャリアの場合がある。
【００１４】
アップリンク「アンカー」キャリアという用語は、ＨＳ−ＤＰＣＣＨが伝送されるアップリンクキャリアを示すことができる。あるいは、構成されている場合、ＤＰＤＣＨが伝送されるキャリアを示すことができる。他の実施形態では、シグナリング無線ベアラ（ＳＲＢ）または他の専用制御メッセージが運ばれるキャリアを示すことができる。さらに他の実施形態では、アンカーキャリアは、サービスを提供するＨＳ−ＤＳＣＨセルなど、ダウンリンクアンカーキャリアに関連するアップリンクキャリアでもよい。ＳＲＢは、説明において専用制御メッセージの例として使用することができるが、ＳＲＢは物理データチャネルで運ぶことができる他の専用制御メッセージまたは任意のより優先度の高いメッセージを同様に示すことができる。
【００１５】
本明細書に記述した実施形態は、複数のアップリンクキャリアを横断してアップリンク伝送を行うために電力調整を実装するための複数の方法を提供する。本明細書に記述した実施形態は、任意の数のアップリンクキャリアに適用することができる。一般的に、本明細書に記述した実施形態は、すべてのキャリアもしくはキャリアのサブセットを横断して電力を共有できるか、またはすべてのキャリアもしくはキャリアのサブセットを横断して最大の合計電力制約が課されるＷＴＲＵに適用することができる。限定することなく例を挙げると、複数のキャリアで共有される単一の電力増幅器を持つＷＴＲＵに適用することができる。
【００１６】
図１は、アップリンク伝送は複数のキャリア１６０を使用して処理され、ダウンリンク伝送は複数のキャリア１７０を使用して処理される例示的な無線通信システム１００を示す。無線通信システム１００は、複数のＷＴＲＵ１１０、ノードＢ１２０、ＣＲＮＣ１３０、ＳＲＮＣ１４０、およびコアネットワーク１５０を含む。ノードＢ１２０およびＣＲＮＣ１３０は、まとめてＵＴＲＡＮ１８０と呼ぶことができる。
【００１７】
図１に示すように、ＷＴＲＵ１１０はノードＢ１２０と通信し、ノードＢ１２０はＣＲＮＣ１３０およびＳＲＮＣ１４０と通信する。３つのＷＴＲＵ１１０、１つのノードＢ１２０、１つのＣＲＮＣ１３０、および１つのＳＲＮＣ１４０を図１に示すが、無線通信システム１００には、無線装置および有線装置を任意に組み合わせて含めることができることに留意されたい。
【００１８】
図２は、図１の無線通信システム１００のＷＴＲＵ１１０およびノードＢ１２０の機能ブロック図である。図２に示すように、ＷＴＲＵ１１０は、複数のアップリンクキャリア２６０および複数のダウンリンクキャリア２７０を使用してノードＢ１２０と通信する。ＷＴＲＵ１１０およびノードＢ１２０は、複数のアップリンクキャリアに対して電力調整する方法を実行するように構成される。
【００１９】
ＷＴＲＵ１１０は、プロセッサ２１５、受信機２１６、送信機２１７、メモリ２１８、アンテナ２１９、および典型的なＷＴＲＵに見られる他の構成要素（図示せず）を含む。アンテナ２１９は、複数のアンテナ素子を含むことができる。または複数のアンテナはＷＴＲＵ１１０に含まれていてもよい。メモリ２１８は、オペレーティングシステム、アプリケーション、および他のモジュールまたは構成要素を含むソフトウェアを格納するために提供される。プロセッサ２１５は、単独またはソフトウェアおよび／もしくは１つもしくは複数の任意の構成要素と組み合わせて、ＷＴＲＵ１１０からのアップリンク伝送が、本明細書に記述した電力調整の例に従って、複数のアップリンクキャリアを使用してノードＢ１２０に伝送される方法を実行するために提供される。受信機２１６および送信機２１７は、プロセッサ２１５と通信する。受信機２１６および送信機２１７は、１つまたは複数のキャリアを同時に受信および伝送することができる。あるいは、複数の受信機および／または複数の送信機は、ＷＴＲＵ１１０に含まれていてもよい。アンテナ２１９は、受信機２１６および送信機２１７の両方と通信して無線データの伝送および受信を促進する。
【００２０】
ノードＢ１２０は、プロセッサ２２５、受信機２２６、送信機２２７、メモリ２２８、アンテナ２２９、および典型的な基地局で見られる他の構成要素（図示せず）を含むことができる。アンテナ２２９は、複数のアンテナ素子を含むことができる。または、複数のアンテナはノードＢ２２０に含まれていてもよい。メモリ２２８は、オペレーティングシステム、アプリケーション、および他のモジュールまたは構成要素を含むソフトウェアを格納するために提供される。プロセッサ２２５は、単独でまたはソフトウェアおよび／もしくは１つもしくは複数の任意の構成要素と組み合わせて、ＷＴＲＵ１１０からのアップリンク伝送が、本明細書に記述した電力調整の例に従って、複数のアップリンクキャリアを使用してノードＢ１２０に伝送される方法を実行するために提供される。受信機２２６および送信機２２７は、プロセッサ２２５と通信する。受信機２２６および送信機２２７は、１つまたは複数のキャリアを同時に受信および伝送することができる。あるいは、複数の受信機および／または複数の送信機は、ノードＢ２２０に含まれていてもよい。アンテナ２２９は、受信機２２６および送信機２２７の両方と通信して無線データの伝送および受信を促進する。
【００２１】
図３は、アップリンク伝送は複数のアップリンクキャリア３５０を使用して処理され、ダウンリンク伝送は複数のダウンリンクキャリア３６０を使用して処理される他の例示的な無線通信システム３００を示す。特に、図３は、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）３０５を含むＬＴＥ（Ｌｏｎｇ  Ｔｅｒｍ  Ｅｖｏｌｕｔｉｏｎ）無線通信システム／アクセスネットワーク３００を示す。Ｅ−ＵＴＲＡＮ３０５は、ＷＴＲＵ３１０および複数の進化型ノードＢ（ｅＮＢ）３２０を含む。ＷＴＲＵ３１０はｅＮＢ３２０と通信する。ＷＴＲＵ３１０およびｅＮＢ３２０は、アップリンクコンポーネントキャリア３５０およびダウンリンクコンポーネントキャリア３６０を使用して通信することができる。ｅＮＢ３２０は、Ｘ２インターフェイスを使用して互いにインターフェイスする。ｅＮＢ３２０のそれぞれは、Ｓｌインターフェイスを通じてＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  ＧａｔｅＷａｙ）３３０とインターフェイスする。単一のＷＴＲＵ３１０および３つのｅＮＢ３２０を図３に示しているが、無線通信システムのアクセスネットワーク３００には、無線装置および有線装置を任意に組み合わせて含めることができることは明らかであろう。
【００２２】
図４は、ＷＴＲＵ３１０、ｅＮＢ３２０、およびＭＭＥ／Ｓ−ＧＷ３３０を含むＬＴＥ無線通信システム３００の例示的なブロック図である。図４に示すように、ＷＴＲＵ３１０はｅＮＢ３２０と通信し、ＷＴＲＵ３１０からのアップリンク伝送は複数のキャリア４５０を使用してｅＮＢ３２０に伝送され、ｅＮＢ３２０からのダウンリンク伝送は複数のダウンリンクキャリア４６０を使用してＷＴＲＵ３１０に伝送されるように両方が構成されている。ＷＴＲＵ３１０、ｅＮＢ３２０、およびＭＭＥ／Ｓ−ＧＷ３３０は、複数のアップリンクキャリアに対して電力調整する方法を実行するように構成される。
【００２３】
典型的なＷＴＲＵに見られる構成要素に加えて、ＷＴＲＵ３１０は、接続されたオプションのメモリ４２２を備えたプロセッサ４１６、少なくとも１つのトランシーバ４１４、オプションのバッテリー４２０、およびアンテナ４１８を含む。プロセッサ４１６は、複数のアップリンクキャリアに対して電力調整するように構成される。トランシーバ４１４は、プロセッサ４１６およびアンテナ４１８と通信し、無線通信の伝送および受信を促進する。ＷＴＲＵ３１０でバッテリー４２０を使用する場合は、バッテリー４２０はトランシーバ４１４およびプロセッサ４１６に電力を供給する。
【００２４】
典型的なｅＮＢに見られる構成要素に加えて、ｅＮＢ３２０は、接続されたオプションのメモリ４１５を備えたプロセッサ４１７、トランシーバ４１９、およびアンテナ４２１を含む。プロセッサ４１７は、複数のアップリンクキャリアに対して電力調整を実行するように構成されている。トランシーバ４１９は、プロセッサ４１７およびアンテナ４２１と通信し、無線通信の伝送および受信を促進する。ｅＮＢ３２０は、接続されたオプションのメモリ４３４を備えるプロセッサ４３３を含むＭＭＥ／Ｓ−ＧＷ（Ｍｏｂｉｌｉｔｙ  Ｍａｎａｇｅｍｅｎｔ  Ｅｎｔｉｔｙ／Ｓｅｒｖｉｎｇ  ＧａｔｅＷａｙ）３３０に接続される。
【００２５】
広帯域符号分割多重アクセス方式（ＷＣＤＭＡ）の周波数分割複信（ＦＤＤ）ＷＴＲＵは、符号分割多元接続を使用してデータチャネルおよび制御チャネルの両方を同時に伝送する。ＷＣＤＭＡ  ＦＤＤでは、すべてのチャネルの電力は、個別物理制御チャネル（ＤＰＣＣＨ）の電力に関連する電力オフセットに依存している。一定レベルの品質に達するように、ＤＰＣＣＨの電力はアクティブセット（ａｃｔｉｖｅ  ｓｅｔ）の基地局によって制御される。典型的には、制御チャネルの電力比はネットワークによって構成され、データチャネルの電力比は、伝送されたデータ転送速度に基づいて決定される。
【００２６】
ＷＴＲＵに対する電力調整は、たとえばＥ−ＤＣＨ（Ｅｎｈａｎｃｅｄ  Ｄｅｄｉｃａｔｅｄ  Ｃｈａｎｎｅｌ）が構成されるかどうかに依存することができる。Ｅ−ＤＣＨが構成されておらず、ＤＰＣＣＨ電力調整および利得係数を適用した後のＷＴＲＵの合計送信電力が最大許容値を超えてもよい場合は、ＷＴＲＵは合計送信電力に追加的な調整を適用し、最大許容電力と等しくすることができる。この追加的な調整は、ＤＰＣＣＨおよびＤＰＤＣＨ（Ｄｅｄｉｃａｔｅｄ  Ｐｈｙｓｉｃａｌ  Ｄａｔａ  Ｃｈａｎｎｅｌ）とＤＰＣＣＨおよびＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）との間の電力比が必要に応じて維持されるように行われる。したがって、Ｅ−ＤＣＨが構成されていない場合は、電力調整メカニズムによって、異なるチャネル間の電力比が維持される。
【００２７】
Ｅ−ＤＣＨが構成されている場合は、規則が異なる。ＷＴＲＵは最初に、それぞれの値βed,k,reducedに対して等しい倍率だけ、すべてのＥ−ＤＰＤＣＨ（Ｅ−ＤＣＨ  Ｄｅｄｉｃａｔｅｄ  Ｐｈｙｓｉｃａｌ  Ｄａｔａ  Ｃｈａｎｎｅｌ）利得係数βed,kを減らすため、合計送信電力を最大許容電力に等しくすることができる。ＤＰＤＣＨが構成されていない場合、適用されたアップリンク変調に関係なく、任意のβed,k,reduced／βcがβed,k,reduced,min/βc未満である場合、βed,kはβed,k,minに設定されるため、βed,k,min／βc＝ｍｉｎ（βed,k,reduced,min／βc，βed,k,original／βc）となり、ここでβed,k,originalは削減前のＥ−ＤＰＤＣＨ利得係数を示し、βed,k,reduced,minは上位レイヤによって構成することができる。
【００２８】
次に、ＷＴＲＵは追加的な電力調整を合計送信電力に適用し、特定の場合において最大許容電力に等しくすることができる。電力調整は、ＤＰＤＣＨが構成されていて、すべてのＥ−ＤＰＤＣＨで不連続伝送（ＤＴＸ）が使用されている場合でも、ＷＴＲＵの合計送信電力がまだ最大許容値を超える場合に適用することができる。また、ＤＰＤＣＨが構成されておらず、βed,kがすべてのｋにおいてβed,k,minと等しい場合でも、ＷＴＲＵの合計送信電力がまだ最大許容値を超える場合にも適用することができる。
【００２９】
合計送信電力の任意の追加的な電力調整は、ＤＰＣＣＨとＤＰＤＣＨとの間、ＤＰＣＣＨとＨＳ−ＤＰＣＣＨとの間、およびＤＰＣＣＨとＥ−ＤＰＣＣＨとの間の電力比が必要に応じて維持され、ＤＴＸがＥ−ＤＰＤＣＨで使用されていない場合は、βed,k,min／βcによって要求されるように、各Ｅ−ＤＰＤＣＨとＤＰＣＣＨとの間の電力比が残されるようにするべきである。
【００３０】
電力調整に対する規則は、シグナリング無線ベアラ（ＳＲＢ）など、制御チャネルおよび専用制御メッセージを運ぶデータチャネルに電力が提供されることを保証する。ＤＰＤＣＨおよびＥ−ＤＣＨが構成されている場合は、ＷＴＲＵは、他のすべてのチャネルに等しく電力調整を適用する前にＥ−ＤＣＨの電力を完全に減らすことができる。要するに、この方法によって、ＤＰＤＣＨにマップされたＳＲＢをＥ−ＤＣＨの負担により適切な電力で伝送することができる。ＤＰＤＣＨがない場合、ＳＲＢは必然的にＥ−ＤＣＨにマップされるため、最小電力比βed,k,reduced,minはＥ−ＤＣＨに提供される。この場合、ＤＴＸはＥ−ＤＣＨに適用されない。
【００３１】
次に図５を参照すると、ノードＢ５０５およびＷＴＲＵ５１０は、複数のアップリンクキャリア５２０および５４０、ならびに複数のダウンリンクキャリア５７０および５９０を使用して通信していることが示される。複数のダウンリンクキャリア５７０および５９０は、ノードＢ５１０からＷＴＲＵ５０５に特定の電力情報を運ぶことができる。本明細書に記述した電力調整の例は、それぞれアップリンクキャリア５２０および５４０によって運ばれる個別物理制御チャネル（ＤＰＣＣＨ）５２５および５４５と共に使用することができる。さらに、電力調整の例は、それぞれアップリンクキャリア５２０および５４０によって運ばれるＥ−ＤＣＨ（Ｅｎｈａｎｃｅｄ  Ｄｅｄｉｃａｔｅｄ  Ｃｈａｎｎｅｌ）のＥ−ＤＰＤＣＨ（Ｄｅｄｉｃａｔｅｄ  Ｐｈｙｓｉｃａｌ  Ｄａｔａ  Ｃｏｎｔｒｏｌ  Ｃｈａｎｎｅｌ）に適用できる。本明細書に示す図において、特定のチャネルがアップリンクおよびダウンリンクのキャリアによって運ばれるところを示しているが、適用可能な任意のチャネルをそのようなキャリアで運べることに注意されたい。あるいは、本明細書に記述した電力調整の例は、物理的なアップリンク制御チャネル（ＰＵＣＣＨ）と共に使用することができ、物理的なアップリンク共有チャネル（ＰＵＳＣＨ）に適用することができる。ＰＵＳＣＨ（複数可）は、アップリンクキャリア５２０および５４０で運ぶことができる。
【００３２】
本明細書に記述した実施形態は、第３世代パートナーシッププログラム（３ＧＰＰ）のリリース４から９に関連するチャネルに関して記述しているが、実施形態は、ＬＴＥリリース１０、ならびに任意の他の種類の無線通信システム、およびそれらで使用されるチャネルなど、３ＧＰＰの他のリリース（およびそれらで使用されるチャネル）に適用することができることも同じく留意されたい。本明細書に記述した実施形態は、任意の順序、または任意の組み合わせで適用することができることにも留意されたい。３ＧＰＰの広帯域符号分割多重アクセス（ＷＣＤＭＡ）周波数分割複信（ＦＤＤ）との関連で実施形態について記述することができるが、本明細書の記述は他の無線技術に適用することができる。同様に、実施形態はデュアルキャリアのアップリンク操作との関連で記述しているが、たとえばデータチャネルおよび制御チャネルの同時伝送を使用するマルチキャリアアップリンク操作を支援するために拡張することができる。
【００３３】
以降、「最大電力制限」という用語は、以下に例として示す意味の１つまたは組み合わせを示すことができる。最大電力制限は、ＷＴＲＵカテゴリーによって定義されているキャリアのすべてまたはサブセットに関する最大電力を示すことができる。あるいは、ネットワークによって構成されるキャリアのすべてまたはサブセットに関する最大電力を示すことができる。これは、ＷＴＲＵカテゴリーによって定義されているキャリアのすべてまたはサブセットに関する最大電力以下でもよい。また、キャリアのそれぞれまたはキャリアのグループのネットワークによって構成された最大電力の合計を示すことができる。キャリアのそれぞれに対する最大電力は、同じでも同じでなくてもよい。
【００３４】
本明細書に記述したデュアルキャリアおよびマルチキャリアの操作のための電力調整の手法および方法は、任意の順序および組み合わせて使用することができる。例示的手法は電力の点から記述できるが、例は、振幅または利得係数の点からも同様に記述することができる。例示的手法は、ＤＰＣＣＨ、Ｅ−ＤＰＤＣＨ、ＰＵＣＣＨ、ＰＵＳＣＨ、および他の説明のためのチャネルに関して記述できるが、例は、一般的に制御チャネルおよびデータチャネルにも適用することができる。特に指定がない限り、ＷＴＲＵがデュアルキャリアまたはマルチキャリアの操作のために構成され、複数のキャリアがＷＴＲＵによって伝送されている場合に、提案された電力調整の手法が適用される。
【００３５】
一般的に、図６Ａに示すように、ＷＴＲＵは以下の手順を実行することができる。ＷＴＲＵの合計送信電力が最大許容値を超えない場合（６０５）（ＷＴＲＵの送信電力は、たとえば、ＤＰＣＣＨ電力調整および利得係数を適用した後の電力に一致する場合がある）、伝送が許可される（６１０）。ＷＴＲＵの合計送信電力が最大許容値を超える場合、ＷＴＲＵは、ＷＴＲＵの合計送信電力が最大許容値を超えなくなるか、または最小送信電力レベルに達するまで、規則または基準に従ってグループチャネルに対して電力調整を実行する（６１５）。たとえば、チャネルのグループは、図６Ａに示すようなデータチャネルでもよい。チャネルのグループは、ユーザー情報を運ぶチャネル（たとえばＥ−ＤＣＨ）を含むことができ、必要に応じて関連する制御チャネル（たとえばＥ−ＤＰＣＣＨ）を含んでいることができる。ＷＴＲＵの合計送信電力が最大電力値を超えない場合（６２０）、伝送が許可される（６１０）。ＷＴＲＵの合計送信電力が最大許容値を超える場合、ＷＴＲＵは、本明細書に記述する特定の条件下でチャネルの他のグループに対して電力調整を実行する必要がある場合がある（６２５）。たとえば、前述したチャネルの他のグループは、図６Ａに示す制御チャネルでもよい。ＷＴＲＵの合計電力が最大許容値を超えない場合（６３０）、伝送が許可される（６１０）。ＷＴＲＵの合計送信電力がまだ最大許容値を超える場合（６３０）は、ＷＴＲＵは追加的なの電力調整を実行する必要がある場合がある（６３５）。図６Ａは例示を目的としており、ＷＴＲＵは任意の順序および任意の組み合わせで電力調整を実行することができる。
【００３６】
あるいは、図６Ｂに示すように、ＷＴＲＵは以下の手順を実行することができる。ＷＴＲＵの合計送信電力（ＷＴＲＵの送信電力は、たとえば、ＤＰＣＣＨ電力調整および利得係数を適用した後の電力に一致する場合がある）が最大許容値を超えない場合（６５０）、伝送が許可される（６５５）。ＷＴＲＵの合計送信電力が最大許容値を超える場合、ＷＴＲＵは、ＷＴＲＵの合計送信電力が最大許容値を超えないところまで、または最小送信電力レベルに達するまで、規則または基準に従ってチャネルのグループ（図６Ｂにデータチャネルとして示す）に対して電力調整を実行する（６６０）。チャネルのグループは、ユーザー情報を運ぶチャネル（たとえばＥ−ＤＣＨ）を含むことができ、必要に応じて関連する制御チャネル（たとえばＥ−ＤＰＣＣＨ）を含むことができる。ＷＴＲＵの合計送信電力が最大電力値を超えない場合（６６５）、伝送が許可される（６５５）。ＷＴＲＵの合計送信電力がまだ最大許容値を超える場合（６６５）、ＷＴＲＵは追加的なの電力調整を実行する必要がある場合がある（６７０）。図６Ｂは例示を目的としており、ＷＴＲＵは任意の順序および任意の組み合わせで電力調整を実行することができる。
【００３７】
ＷＴＲＵは、以下の手法の１つまたは複数を任意の順序または組み合わせで実行することができ、以下の手法の１つまたは複数を繰り返すことができる。
【００３８】
データチャネルに対して電力調整を実行するため例示的手法の１つでは（たとえば図６の６１５）、ＷＴＲＵの合計送信電力が最大許容値を超えないところまで、ＷＴＲＵはＥ−ＤＰＤＣＨの電力を下方調整することができる。他の例示的手法では、最小の電力調整を１つまたは複数のキャリアのＥ−ＤＰＤＣＨに対して提供することができる。さらに他の例示的手法では、最小の電力調整を（シグナリング無線ベアラ（ＳＲＢ）を運ぶことができる）アンカーキャリアのＥ−ＤＰＤＣＨに対して提供することができ、最小の電力調整は補助キャリアのいずれにも適用する必要はない。最小の電力調整手法について、ＷＴＲＵは、無線資源コントローラ（ＲＲＣ）のシグナリングまたは上位レイヤのシグナリングを介してネットワークから最小の電力調整の構成を受信することができる。さらに他の例では、異なる最大電力レベルがキャリアごとに設定される場合、ＷＴＲＵは、本明細書に記述したように、キャリアのそれぞれについて最大電力レベルになるまで、キャリアのそれぞれの電力を調整する。
【００３９】
データチャネルに対する電力調整は、本明細書に記述した例示的方法を１つまたは組み合わせて使用して実装することができる。一例示的方法では、ＵＬキャリアはすべて等しく調整することができる。この第１の方法の例として、ＷＴＲＵの合計送信電力が最大許容値を超えなくなるか、またはすべてのキャリアで最小電力に達するまで、すべてのＵＬキャリアのＥ−ＤＰＤＣＨ電力は等しく調整される。この方法の他の例では、ＷＴＲＵの合計送信電力が最大許容値を超えなくなるか、またはすべてのキャリアで最小電力に達するまで、すべてのキャリアのＰＵＳＣＨ電力は等しく調整される。
【００４０】
他の例示的方法では、ＷＴＲＵは最初に、すべてのＵＬ補助キャリアを等しく調整し、次にアンカーキャリアを調整する。この方法の例として、ＷＴＲＵの合計送信電力が最大許容値を超えないところまで、またはすべての補助キャリアで最小電力に達するまで、すべてのＵＬ補助キャリアのＥ−ＤＰＤＣＨ電力が等しく調整される。ＷＴＲＵの合計送信電力がまだ最大許容値を超える場合、電力調整はアンカーキャリアのＥ−ＤＰＤＣＨに適用することができる。この方法の他の例では、ＷＴＲＵの合計送信電力が最大許容値を超えないところまで、またはすべての補助キャリアで最小電力に達するまで、すべてのＵＬ補助キャリアのＰＵＳＣＨ電力が等しく調整される。
【００４１】
他の例示的方法では、ＷＴＲＵは、キャリアごとに異なる重みを用いて電力を調整することができる。この方法の例では、Ｅ−ＤＰＤＣＨの電力は、キャリアごとに別々に調整される。各キャリアに異なる重みを適用することによって、一部のキャリアを他のキャリアより積極的に調整することができる。次に、各キャリアの実際の電力調整は、複数のキャリアに適用できる共通の電力調整要因と組み合わせて、キャリアごとの重みの形で行われる。キャリアごとの重みは、たとえば、本明細書に記述した技術の１つまたは複数を個々にまたは任意に組み合わせて使用することで決定することができる。
【００４２】
他の例示的方法では、キャリアごとの重みは許可に基づいている。この方法では、Ｅ−ＤＰＤＣＨのキャリアごとの重みは、各キャリアのサービング許可に依存する。例として示す他の技術では、キャリアごとの重みは事前に定義されている。この技術では、Ｅ−ＤＰＤＣＨのキャリアごとの重みは、構成された重みの組または事前に構成された重みの組に依存する。事前に定義された重みは、事前設定、ネットワークにより構成、またはＲＲＣもしくは上位レイヤを介して信号で送ることができる。他の例示的方法では、キャリアごとの重みはキャリアのＩＤまたはタイプ（たとえば補助かアンカーか）に依存している。この方法では、Ｅ−ＤＰＤＣＨのキャリアごとの重みはキャリアのタイプ（アンカーまたは補助）に依存している。アンカーおよび補助のキャリア（複数可）の電力調整に対して、キャリアごとの構成された重みの組または事前に定義された重みの組を使用することができる。これらは、事前設定、ネットワークにより構成、またはＲＲＣもしくは上位レイヤを介して信号で送ることができる。他の例示的方法では、キャリアごとの重みは、各キャリアのネットワークによって定義された最大電力に依存することができる。また、重みは、キャリアの最大電力ごとに定義されたネットワークに基づく調整規則に加えて、任意の重み付け方法に依存することができる。
【００４３】
他の例示的方法では、ＷＴＲＵは一度に１つのキャリアを調整することができる。この方法の一部として、電力調整は、ＷＴＲＵの送信電力が最大許容値を超えないところまで、またはデータチャネルの最小電力に達するか、もしくはデータチャネルの電力がゼロになるまで（この場合、データチャネルを必要に応じてＤＴＸモードにできる）、選択されたキャリア上のデータチャネルに適用することができる。所定のキャリアにおいてデータチャネルの最小電力に達し、追加的な調整が必要な場合、ＷＴＲＵは、電力調整を実行できる他のキャリアを選択する。ＷＴＲＵの送信電力が最大許容値を超えなくなると、ＷＴＲＵは、他方のキャリアに対して電力調整を実行する必要がなくなり、手順は完了する。この方法では、各キャリアは、電力調整のために連続的に（別々に）処理され、処理の順序は本明細書に記述した１つまたは複数の技術を任意の順序または組み合わせで使用して決定することができる。この方法の例として、ＷＴＲＵは、ＷＴＲＵが最大電力を超えないところまで、またはこのキャリアの最小利得係数まで下がるまで、選択されたキャリアのすべてのＥ−ＤＰＤＣＨ利得係数を減らすことで開始する。さらなる調整が必要な場合（つまり、選択されたキャリアで最小利得係数に達し、追加的な調整が必要な場合）、ＷＴＲＵは、そのＥ−ＤＰＤＣＨ利得係数の減少に対して他のキャリアを選択する（最大でも最小利得係数まで）。最小利得係数は、事前に構成することも、または上位レイヤのシグナリングを介してＷＴＲＵに信号で送ることもできる。最小の利得係数は、キャリアごとに定義することができる。または単一の値をすべてのキャリアに使用することができる。
【００４４】
他の例示的方法では、処理順序はアンカーと補助に依存することができる。この技術では、電力調整は、最初に、補助キャリアにおいて伝送されたＥ−ＤＰＤＣＨに適用することができる（アンカーキャリアのＥ−ＤＰＤＣＨへの影響なし）。複数の補助キャリアが構成されている場合、同じ電力調整をすべての補助キャリアに適用することができる。あるいは、異なる電力調整を適用することができる。これはたとえば、本明細書に記述する許可または事前に定義された調整の重みに依存することができる。すべての補助キャリアのＥ−ＤＰＤＣＨからの電力が下方調整されてゼロになり、ＷＴＲＵの合計送信電力がまだ最大許容電力を超えるときまで、アンカーのＥ−ＤＰＤＣＨの電力は調整しなくてもよい。一代替案では、アンカーのＥ−ＤＰＤＣＨの電力は、すべての補助キャリアのＥ−ＤＰＤＣＨからの電力が下方調整されてゼロになり、関連するＥ−ＤＰＣＣＨの電力も下方調整されてゼロになり、およびＷＴＲＵの合計送信電力がまだ最大許容電力を超えるまで調整しなくてもよい。他の代替案では、すべての補助キャリアが無効化されるまで、アンカーのＥ−ＤＰＤＣＨは調整しなくてもよい。
【００４５】
他の例示的方法では、処理順序を事前に定義することができる。この技術では、電力調整は、アンカーキャリアにおいて伝送されるＥ−ＤＰＤＣＨに最初に適用することができる。補助キャリア（またはキャリア）のＥ−ＤＰＤＣＨの電力は、アンカーキャリアのＥ−ＤＰＤＣＨからの電力がゼロまたは構成された最小値まで下方調整され、ＷＴＲＵの合計送信電力がまだ最大許容電力を超えるまで調整しなくてもよい。あるいは、補助キャリア（または複数の補助キャリア）のＥ−ＤＰＤＣＨの電力は、アンカーキャリアのＥ−ＤＰＤＣＨからの電力がゼロまたは構成された最小値まで下方調整され、関連するＥ−ＤＰＣＣＨの電力も下方調整されてゼロになり、ＷＴＲＵの合計送信電力がまだ最大許容電力を超えるまで調整しなくてもよい。
【００４６】
他の例示的方法では、処理順序を事前に定義することができる。この方法では、電力調整のためにキャリアを処理する順序は、ネットワークによって事前に定義または構成される。ＷＴＲＵは各キャリアを連続的に処理する。キャリアごとに、電力調整は、ＷＴＲＵの送信電力が最大許容値を超えないところまで、またはＥ−ＤＰＤＣＨの最小電力に達するまで、またはＥ−ＤＰＤＣＨの電力がゼロになり、必要に応じてＥ−ＤＰＣＣＨを伝送しなくてもよいときまで（または同等に、不連続伝送（ＤＴＸ）モードになるまで）、Ｅ−ＤＰＤＣＨに適用される。ＷＴＲＵの送信電力が最大許容値を超えなくなると、ＷＴＲＵは他のキャリアに対して電力調整を実行する必要がなくなり、手順が完了する。
【００４７】
他の例示的方法では、処理順序はＷＴＲＵの許可に依存することができる。この技術では、キャリアを電力調整する順序は、キャリアごとのサービング許可に依存する。たとえば、電力調整は、サービング許可の昇順（または降順）にキャリアに適用することができる。ＷＴＲＵは、各キャリアを連続的に処理する。各キャリアに対して、電力調整は、ＷＴＲＵの送信電力が最大許容値を超えないところまで、またはＥ−ＤＰＤＣＨの最小電力に達するまで、またはＥ−ＤＰＤＣＨの電力がゼロになり、必要に応じてＥ−ＤＰＣＣＨがＤＴＸモードになることができるまで、Ｅ−ＤＰＤＣＨに適用される。ＷＴＲＵの送信電力が最大許容値を超えなくなると、ＷＴＲＵは、他のキャリアに対して電力調整を実行する必要がなくなり、手順が完了する。
【００４８】
他の例示的方法では、処理順序は、各キャリアの電力測定基準（ｐｏｗｅｒ  ｍｅｔｒｉｃ）に依存することができる（たとえばＵＬ基準または制御チャネルのパワーヘッドルーム（ｐｏｗｅｒ  ｈｅａｄｒｏｏｍ）または電力）。この方法では、キャリアを電力調整する順序は、各キャリアの電力測定基準に依存する。たとえば、電力調整は、電力測定基準の昇順（または降順）にキャリアに適用することができる。電力測定基準は、ＷＴＲＵパワーヘッドルーム（ＵＰＨ）でもよく、たとえば、最大許容電力および短期間（たとえば３無線スロット）に平均されたＤＰＣＣＨ送信電力に基づいて計算される。あるいは、電力測定基準は、従来のＷＴＲＵパワーヘッドルーム（ＵＰＨ）でもよい。あるいは、電力測定基準は、各キャリアに対するＤＰＣＣＨ電力として定義することができる。この方法の例として、ＷＴＲＵは最初に、最も高いＤＰＣＣＨ電力を持つキャリアを選択し処理する。次に、電力調整は、ＷＴＲＵの送信電力が最大許容値を超えないところまで、またはＥ−ＤＰＤＣＨの最小電力に達するまで、またはＥ−ＤＰＤＣＨの電力がゼロになり、必要に応じてＥ−ＤＰＣＣＨがＤＴＸモードになることができるまで、Ｅ−ＤＰＤＣＨに適用される。ＷＴＲＵの送信電力が最大許容値を超えなくなると、ＷＴＲＵは、他のキャリアに対して電力調整を実行する必要がなくなり、手順が完了する。ＷＴＲＵの送信電力がまだ最大許容値を超える場合、ＷＴＲＵは、次に高いＤＰＣＣＨ電力を持つキャリアを選択し、ＷＴＲＵ送信電力が最大許容値を超えないところまで、またはすべてのキャリアが処理されるまで、上記の順を繰り返す。
【００４９】
他の例示的方法では、処理順序はシグナリング無線ベアラ（ＳＲＢ）に依存する。この技術では、電力調整は、ＳＲＢを運ぶように構成されていないキャリアで伝送されるＥ−ＤＰＤＣＨに最初に適用される。そのようなキャリアが複数構成されている場合、同じ電力調整をすべてのそのようなキャリアに適用することができる。あるいは、異なる電力調整を、たとえば許可または事前に定義された調整の重みに依存して、各キャリアに適用することができる。ＳＲＢを運ぶキャリア上のＥ−ＤＰＤＣＨの電力は、他のすべてのキャリアのＥ−ＤＰＤＣＨからの電力が下方調整されてゼロになり、必要に応じて関連するＥ−ＤＰＣＣＨの電力も下方調整されてゼロになり、ＷＴＲＵの合計送信電力がまだ最大許容電力を超えるまで調整されない。必要に応じて、すべての補助キャリアが無効化されるまで、ＳＲＢを運ぶキャリアのＥ−ＤＰＤＣＨは調整されない。
【００５０】
他の例示的方法では、処理順序は第１の伝送／再伝送に依存することができる。この方法では、キャリアを電力調整する順序は、伝送が、各キャリアにおいて第１の伝送か、またはハイブリッド自動再送要求（ＨＡＲＱ）再伝送であるかに依存することができる。たとえば、ＷＴＲＵは、伝送が第１のＨＡＲＱ伝送であるキャリアに、最初に電力調整を適用することができる。あるいは、ＷＴＲＵは、伝送がＨＡＲＱ再伝送であるキャリアに最初に電力調整を適用することができる。ＷＴＲＵの手順は、本明細書に記述した手順に似ているが、キャリアの順序は、伝送が第１のＨＡＲＱ伝送か、またはＨＡＲＱ再伝送であるかに依存する。両方のキャリアのステータスが同じ場合（たとえば、両方が第１のＨＡＲＱ伝送またはＨＡＲＱ再伝送である場合）、順序は、本明細書に記述した他の手法のいずれに依存してもよい。本明細書では、たとえば図６Ａの（６２５）に示すように、制御チャネルの電力調整について記述する。Ｅ−ＤＰＤＣＨおよびＥ−ＤＰＣＣＨ（つまりＥ−ＤＣＨ）の両方がＤＰＤＣＨまたはＨＳ−ＤＰＣＣＨを運ばないキャリアにおいて不連続的に伝送される場合、さらに処理を適用することができる。Ｅ−ＤＰＤＣＨが調整され、ＷＴＲＵの合計電力がまだ最大許容電力を超えている場合、または必要に応じて所定のキャリアのＥ−ＤＰＤＣＨ電力が下方調整されてゼロになった場合、この処理を適用することができる。この例では、ＷＴＲＵは、最大電力に達するまで、または不連続モードをＤＰＣＣＨに適用し、キャリアを効果的に無効化できるまで、そのキャリアのＤＰＣＣＨを下方調整するように構成することができる。
【００５１】
本明細書では、たとえば図６Ａの（６３５）に示すように、追加的な調整について記述する。すべての補助キャリアが無効化され、ＷＴＲＵの合計送信電力がまだ最大許容値を超えている場合、ＷＴＲＵは、単一キャリアの操作のように、追加的な調整を残りのキャリア（ＤＰＤＣＨを運ぶキャリア）に適用するように構成することができる
【００５２】
上記の手法のいずれかに従って電力調整した後のＷＴＲＵの合計送信電力がまだ最大許容値を超えている場合、ＷＴＲＵは、従来の追加的な調整を適用することができる。より具体的には、各キャリアに対して、ＤＰＣＣＨと制御チャネルとの間の電力比が残され、電力が減らされたＥ−ＤＰＤＣＨとＤＰＣＣＨとの間の電力比も残されるように、追加的な調整が適用される。キャリアごとのＤＰＣＣＨの間の電力比は一定のままである。
【００５３】
ここでは、本明細書に記述した手順および規則のサブセットを含む例について記述する。例示的な一実装では、アンカーキャリアのＥ−ＤＰＤＣＨを調整する前に、追加的な電力調整が補助キャリアのＤＰＣＣＨに対して実行される。
【００５４】
他の例示的な実装では、電力調整は、補助キャリアで伝送されるＥ−ＤＰＤＣＨに最初に適用される（アンカーキャリアのＥ−ＤＰＤＣＨへの影響なし）。Ｅ−ＤＰＤＣＨが調整され、ＷＴＲＵの合計電力がまだ最大許容電力を超えている場合、ＷＴＲＵは、最大電力に達するまで、そのキャリアのＤＰＣＣＨを下方調整する。すべての補助キャリアが無効化され、ＷＴＲＵの合計送信電力がまだ最大許容値を超えている場合、ＷＴＲＵは、単一キャリアでの操作のように、追加的な調整を残りのキャリア（ＤＰＤＣＨを運ぶキャリア）に適用する。
【００５５】
他の例示的実装では、必要に応じて、電力調整は一度に１つのキャリアに適用される。電力調整は、最悪のチャネル条件、全体、または他の同様の電力に基づく測定基準もしくは暗示された測定基準を持つデータチャネルに最初に適用される。最悪の電力測定基準は、キャリアの制御チャネルを検査することにより決定することができる。一般的に、所定の制御チャネルの電力測定基準が高いほど、チャネル条件、および信号対雑音（ＳＮＲ）レベル、サービス品質（ＱｏＳ）、または他のサービス測定基準に達するためのより大きな電力に対するニーズが悪くなる。
【００５６】
この例示的な実装を示すフローチャート７００を図７に示す。ＷＴＲＵは、基地局（７０５）から制御チャネル情報を受信することができる。制御チャネルは、たとえばＤＰＣＣＨまたはＦ−ＤＰＣＨでもよい。制御チャネル情報から抽出された送信電力制御（ＴＰＣ）コマンドは、電力レベルを設定するために適用される（７１０）。次に、ＷＴＲＵは、ＤＰＣＣＨ電力調整および利得係数を適用した後の合計送信電力がＷＴＲＵの最大許容送信電力より大きいかどうかを決定する（７１５）。合計送信電力が最大許容送信電力を満たすか、それ未満である場合、プロセスは完了し伝送を許可することができる（７２０）。合計送信電力が最大許容送信電力を超える場合、最も高いＤＰＣＣＨ電力または他の同様の電力測定基準を有するキャリアが決定される（７２５）。次に、ＷＴＲＵは、最も高いＤＰＣＣＨ電力を有するキャリアに対応するデータチャネル、たとえばＥ−ＤＰＤＣＨに電力調整を適用するが（７３０）、これに限定するものではない。データチャネルの電力調整は、データチャネルのみの調整（たとえばＥ−ＤＰＤＣＨ）または追加的に、データチャネルに関連する、もしくはデータチャネルに固有の特定の制御チャネルの調整（たとえばＥ−ＤＰＤＣＨ）を含むことができる。選択されたキャリアに複数のＥ−ＤＰＤＣＨがあることがあるため、選択されたキャリアの各Ｅ−ＤＰＤＣＨは等しく減らすことができる。電力調整は、合計送信電力が最大許容送信電力を満たすか、それ未満になるか、または最小送信電力に達するまで適用することができる。Ｅ−ＤＰＤＣＨの最小送信電力は、上位レイヤのシグナリングを介してネットワークによって事前に定義または構成することができる。
【００５７】
次に、合計送信電力が最大許容送信電力を満たしているか、またはそれ未満であるかが決定され（７３２）、該当する場合は、電力調整は完了して、伝送を許可することができる（７２０）。合計送信電力がまだ最大許容送信電力を超えている場合（７３２）、ＷＴＲＵは、最小送信電力に達したかどうかを判断する（７３５）。最小送信電力レベルに達していない場合、電力調整はまだ適用することができる（７３０）。最小送信電力に達している場合、電力調整がすべてのキャリアに適用されたかどうかを判断する（７４０）。電力調整がすべてのキャリアに適用されていないと判断された場合、ＷＴＲＵは、次に高いＤＰＣＣＨまたは同様の電力測定基準を有するキャリアを決定し（７２５）、伝送が許可されるか、または電力調整がすべての有効なキャリアに適用されるまで、電力調整を繰り返す。すべてのキャリアについて、データチャネルの最小送信電力に達している場合（７４０）、追加的な調整をすべてのキャリアに適用することができる（７４５）。合計送信電力の追加的な調整により、すべてのチャネルの電力を相対的に減らし、データチャネルと制御チャネルとの間の電力比を維持する。合計送信電力が最大許容送信電力を満たすか、それ未満になるまで、追加的な調整を適用することができる。
【００５８】
ここでは、Ｅ−ＴＦＣ（Ｅｎｈａｎｃｅｄ  Ｔｒａｎｓｐｏｒｔ  Ｆｏｒｍａｔ  Ｃｏｍｂｉｎａｔｉｏｎ）に対する影響について記述する。デュアルキャリアまたはマルチキャリアの操作のために構成されている場合、ＷＴＲＵは、２つ以上のＥ−ＤＣＨトランスポートブロックを伝送する可能性がある。標準的なＥ−ＴＦＣ選択手順では、ＷＴＲＵは１組の支持されるＥ−ＴＦＣを決定する。次の送信時間間隔（ＴＴＩ）にデータを運ぶために、これらのＥ−ＴＦＣを選択することが許可される。最小伝送速度を保証するために、ＷＴＲＵは、Ｅ−ＤＣＨ最小セットＥ−ＤＣＨトランスポートフォーマットコンビネーションインジケータ（Ｅ−ＴＦＣＩ）を用いて構成することができる。このＥ−ＤＣＨ最小セットＥ−ＴＦＣＩ以下のすべてのＥ−ＴＦＣＩ、または同様に、このＥ−ＤＣＨ最小セットＥ−ＴＦＣＩ以下の対応するＥ−ＴＦＣＩを有するすべてのＥ−ＴＦＣは、常にＥ−ＴＦＣ選択によって支持されていると考えられる。
【００５９】
２つのキャリアが構成される場合、Ｅ−ＴＦＣ選択に対して多数の実行可能な手法を設計することができる。Ｅ−ＴＦＣ選択の実装にて実行可能な１組において、ＷＴＲＵは、キャリアごとにゼロでないＥ−ＤＣＨ最小セットＥ−ＴＦＣＩを構成することができる。この場合、ＷＴＲＵは（電力が制限された条件でも）、２つ以上のトランスポートブロックを生成することができる（それらのすべてがＥ−ＤＣＨ最小セットＥ−ＴＦＣＩ以下のＥ−ＴＦＣＩを有する）。この特定の状況は不適当な場合がある。電力が制限された条件では、Ｅ−ＤＣＨを確実に受信するのに不十分な電力が割り当てられることになりやすい。
【００６０】
ＷＴＲＵがデュアルキャリアまたはマルチキャリアの操作向けに構成されている場合に、上記の状況を回避するために、以下の規則が提案されており、任意の順序および任意の組み合わせで使用することができる。
【００６１】
第一に、電力調整が任意のキャリアに適用された場合、ＷＴＲＵは、アンカーキャリア以外の任意のキャリアに対して新しいＥ−ＤＣＨトランスポートブロックを作成しない。この結果、Ｅ−ＤＰＤＣＨおよびＥ−ＤＰＣＣＨは、これらのキャリアでは伝送されない。これは、たとえば、電力調整が適用されている場合に、補助キャリアいずれに対してもＥ−ＴＦＣ選択を実行しないことにより達成することができる。
【００６２】
第２に、電力調整が任意の補助キャリアに適用されている場合、ＷＴＲＵは、アンカーキャリア以外の任意のキャリアに対して新しいＥ−ＤＣＨトランスポートブロックを作成しない。この結果、Ｅ−ＤＰＤＣＨおよびＥ−ＤＰＣＣＨは、これらのキャリアでは伝送されない。これは、たとえば、電力調整が適用されている場合に、補助キャリアのいずれに対してもＥ−ＴＦＣ選択を実行しないことにより達成することができる。
【００６３】
第３に、電力調整が任意のキャリアに適用されている場合、ＷＴＲＵは新しいＥ−ＤＣＨトランスポートブロックを作成しない。これは、たとえば、電力調整が適用されている場合に、Ｅ−ＴＦＣ選択をまったく実行しないことにより達成することができる。この結果、Ｅ−ＤＰＤＣＨおよびＥ−ＤＰＣＣＨは、どのキャリアでも伝送されない。
【００６４】
上記の規則に関して、適用される電力調整は、事前に定義されたスロット数または構成されたスロット数の間に適用される電力調整を示すことができる。あるいは、また、適用される電力調整は、事前に定義された値または構成された値より大きく、適用された合計電力調整を示すことができる。
【００６５】
上記の規則に関して、電力制限のために、Ｅ−ＤＣＨトランスポートブロックがキャリアで伝送されていない場合、キャリアを無効化することができる（たとえば、ＷＴＲＵは関連するＤＰＣＣＨの伝送を停止することができる）。
【００６６】
本明細書では、複数のキャリア間の電力不均衡を減らすための電力調整メカニズムについて記述する。ＤＣ−ＨＳＵＰＡ（Ｄｕａｌ  Ｃａｒｒｉｅｒ−Ｈｉｇｈ−Ｓｐｅｅｄ  Ｕｐｌｉｎｋ  Ｐａｃｋｅｔ  Ａｃｃｅｓｓ）について、独立した内側および外側のループ電力制御、異なる負荷、およびキャリア上のトラフィックのために、大きな電力不均衡を有する２つのキャリアが伝送されることがある。これが発生すると、共通のエラーベクトル振幅（ＥＶＭ）源により他方のキャリアの存在によって、より小さな電力を有するキャリアの信号対雑音比（ＳＮＲ）が劣化する可能性がある。特に、キャリア漏洩に結びつく減衰は、送信機の出力においてＳＮＲを減少させる可能性がある。そのような出力信号劣化のために起こりうる結果として、犠牲キャリア、つまり電力が低いほうのキャリアにおいて、ＤＰＣＣＨ  ＳＮＲが大幅に低下する可能性がある。ＷＴＲＵがノードＢに接近している場合など、出力ＤＰＣＣＨの電力が低い場合、この信号の劣化は悪化する可能性がある。システムレベルでは、この結果として、出力ＤＰＣＣＨ電力を高めるために、ノードＢが送信電力コマンド（ＴＰＣ）アップコマンドを送信し、雑音上昇が増加し、ＷＴＲＵのヘッドルームの損失が生じ、したがってアップリンク容量の低下につながる可能性がある。
【００６７】
この信号劣化は、以下のようにモデル化することができる。犠牲キャリアにおいて伝送されるＤＰＣＣＨの電力をＰDPCCHとして、隣接するキャリアの干渉比をＧACLRとして、ノードＢへのパス利得をＧPathとして、ノードＢ  ＰINでの干渉電力および騒音レベル、ノードＢでのＤＰＣＣＨの信号対混信比（ＳＩＲ）ターゲットをＳＩＲD,Tとして、侵略キャリアで伝送される合計電力をＰtot,aとして定義する。隣接するキャリアの干渉電力の合計は、以下によって得ることができる。
ＰACLR＝Ｐtot,a×ＧACLR   式（１）
【００６８】
ノードＢ、ＳＩＲDPCCHで測定されるＤＰＣＣＨの信号対混信比（ＳＩＲ）は、次のように表すことができる。
ＳＩＲDPCCH＝（ＰDPCCH×ＧPath）／（ＰACLR×ＧPath＋ＰIN）      式（２）
【００６９】
これは、犠牲キャリアが隣接するキャリアの干渉を受けた場合（たとえば電力不均衡のため）、ノードＢで測定されたＳＩＲは、送信機でのＳＩＲの減少のために減少することを示す。
【００７０】
キャリア間干渉がある状態およびキャリア間干渉がない状態でノードＢにおいて同じＳＩＲターゲットに達するＤＰＣＣＨ電力の比は、次のように表すことができる。
ΔＰDPCCH＝（ＰACLR×ＧPath＋ＰIN）／ＰIN＝１＋（ＰACLR×ＧPath）／ＰIN   式（３）
【００７１】
電力不均衡につながる多数の異なるシナリオがある。第１のシナリオでは、Ｅ−ＴＦＣ選択は２つのキャリアに対して実行される。このシナリオは、ＷＴＲＵが伝送するべきデータを持っており、両方のキャリアが、次のＴＴＩにＥ−ＤＣＨデータを伝送できるときに発生する可能性がある。
【００７２】
第２のシナリオでは、Ｅ−ＴＦＣ選択は１つのキャリアに対してのみ実行される。このシナリオは、ＷＴＲＵに伝送するべきデータがあるが、たとえば、（Ｌ２またはＬ３の観点から）キャリアのうちの１つの次のＨＡＲＱプロセスが許可されていない、または有効化されていないため、２つのキャリアの１つのみをＥ−ＤＣＨ伝送に利用することができる場合に発生する可能性がある。また、キャリアのうちの１つの次のＨＡＲＱプロセスが再伝送モードにある、１つのキャリアの許可がゼロである、または媒体アクセス制御（ＭＡＣ）のＤＴＸがキャリアの１つに適用されているが、他方のキャリアには適用されていないという事実のための場合もある。
【００７３】
第３のシナリオでは、Ｅ−ＴＦＣ選択は実行されない。このシナリオは、Ｅ−ＤＣＨ伝送が行われていない場合、および制御チャネル（たとえばＤＰＣＣＨおよびＨＳ−ＤＰＣＣＨ）が両方のキャリアを通じて同時に伝送されている場合に、所定のスロットで発生することがある。すなわち、両方のキャリアは少なくともＤＰＣＣＨを伝送している。
【００７４】
これらのシナリオのいずれかによって生じる送信機での不適切な信号品質の損失を緩和するために、電力調整を使用して、事前に定義した範囲内に電力不均衡を維持し、犠牲キャリアにおける出力ＳＮＲの不適切な減少を減らすことができる。
【００７５】
電力不均衡を減らすために電力調整を使用する一例では、所定の電力不均衡のしきい値がＷＴＲＵで構成されることが想定され得る多数のメカニズムについて記述する。これらのメカニズムは、任意の順序および任意の組み合わせで適用可能にすることができる。
【００７６】
電力不均衡のしきい値は、どれだけの電力差が２つのキャリア間で許容されるかを示すことができる。あるいは、この電力不均衡のしきい値は、犠牲キャリアにおいてあるキャリアと所定のチャネル（たとえばＤＰＣＣＨまたはＰＵＣＣＨ）との間で、どれだけの電力差が許容されるかを示すことができる。また、このしきい値はＷＴＲＵによって計算することができ、１つまたは複数のパラメーター、および任意の組み合わせに依存することができる。パラメーターは、たとえば、ＷＴＲＵのＤＰＣＣＨ送信電力、ＷＴＲＵの合計送信電力（そのカテゴリーに従うか、またはネットワークによって構成される）、伝送された合計電力（たとえば、最後のＴＴＩを通じて、最後の３つのスロットを平均して、または事前に定義した時間間隔を平均して）、ＷＴＲＵによって測定される共通パイロットチャネル（ＣＰＩＣＨ）の電力、絶対的なＣＰＩＣＨ電力または他の手段についての知識からＷＴＲＵによって推定される伝送損失、ネットワークによって構成され、ＲＲＣシグナリングを介してＷＴＲＵによって受信されるオフセットまたはしきい値、および事前に定義されたオフセットまたは規格仕様書に事前に定義されたしきい値を含むことができるが、これらに限定されるものではない。
【００７７】
このしきい値の値は仕様書によって規定することができ、ＷＴＲＵは、この値を用いて事前に構成することができる。あるいは、たとえば、デュアルキャリアまたはマルチキャリアのアップリンク操作のための再構成メッセージの一部として、ネットワークはＲＲＣシグナリングを介してこの値を信号で送ることができる。また、記述したメカニズムは、このしきい値の意味が異なる場合でも適用可能にすることができる。
【００７８】
この手法では、ＷＴＲＵは、各キャリアが電力不均衡をしきい値以下に維持するために電力を調整するように構成することができる。このしきい値は、ＷＴＲＵによって計算したり、ネットワークによって構成したり（その場合には、ＷＴＲＵはＲＲＣシグナリングを介して最初に構成を受信する必要がある）、または仕様において事前に定義したりすることができる。
【００７９】
ＷＴＲＵは、各キャリアを通じて伝送される合計電力を計算することができる。たとえば、アンカーキャリアで伝送される合計電力は、以下のように計算することができる。
Ｐtot1＝ＰDPCCH,1＋ＰHS-DPCCH＋ＰE-DPCCH,1＋ＰE-DPDCH,1   式（４）
Ｐtot2＝ＰDPCCH,2＋ＰE-DPCCH,2＋ＰE-DPDCH,2   式（５）
ここで、ＰDPCCH,k、ＰE-DPCCH，k、およびＰE-DPDCH,kは、それぞれキャリアインデックスｋ＝１，２を通じて伝送されるＤＰＣＣＨ、Ｅ−ＤＰＣＣＨ、およびＥ−ＤＰＤＣＨの電力である。ＰHS-DPCCHは、ＨＳ−ＤＰＣＣＨの電力である（複数のキャリアを通じて伝送できるが、キャリア１を通じて伝送される）。
【００８０】
Ｐtot1とＰtot2との間の差が特定のしきい値より大きい場合、つまり、以下の式が成り立つ場合
｜Ｐtot1−Ｐtot2｜＞ＰTh   式（６）
合計不均衡をしきい値ＰTh以下に減らすために電力調整が適用される。あるいは、電力不均衡は、｜Ｐtot1−Ｐtot2｜≧Ｐと表すことができる。
【００８１】
電力調整は、最大送信電力を用いるキャリアに適用することができる。この記述のために、一般性を失うことなく、第１のキャリアは、Ｐtot1−Ｐtot2＞ＰThとなるように最大電力を持っていると想定することができる。
【００８２】
この場合、ＷＴＲＵは、キャリア１のＥ−ＤＰＤＣＨに電力調整を適用するため、ＰE-DPDCH,1が減らされる。電力低減は、電力差がしきい値より小さく（またはそれ以下）になるまで、つまりＰtot1−Ｐtot2＜ＰTh（またはＰtot1−Ｐtot2≦ＰTh）まで、または利得係数の最小値に達するまで、第１のキャリアのＥ−ＤＰＤＣＨ利得係数の値を減らすことによって達成される。必要に応じて、利得係数の特別な最小値は、電力不均衡の電力調整のみにおいて使用するために構成される。必要に応じて、調整前のＥ−ＤＰＤＣＨの利得係数が既に構成された最小値未満である場合、調整はそのキャリアに適用されなくてもよい。
【００８３】
このＥ−ＤＰＤＣＨ電力調整の後に、電力差がしきい値より大きい（またはそれ以上である）場合、追加的な電力調整を適用することができる。より明示的な形式では、Ｐtot1は電力調整によってＰtot1’へと減らされることが想定された。次にこの状況では、Ｐtot1’−Ｐtot2＜ＰThが持続するため、追加的な電力調整が必要である。
【００８４】
追加的な電力調整は、１つまたは複数の方法から構成することができる。ある方法では、ＷＴＲＵは、等しい電力低減を第１のキャリアを通じて運ばれるすべてのチャネルに適用することができる。他の例示的方法では、ＷＴＲＵは、１つまたは複数の手法を使用して、第２のキャリアの電力を高めることができる。他の例示的方法では、ＷＴＲＵは、第２のキャリアのＤＰＣＣＨの電力を高めることができる。他の例示的方法では、ＷＴＲＵは、第２のキャリアのＥ−ＤＰＤＣＨの電力を高めることができる（すなわち、選択されたトランスポートブロックサイズによって規定される値を超える）。他の例示的方法では、ＷＴＲＵは、等しい電力増加を第２のキャリアを通じて運ばれるすべてのチャネルに適用することができる。他の例示的方法では、ＷＴＲＵは、最大送信電力を超えない場合、第２のキャリアの制御チャネルの電力のみを高めることができる。
【００８５】
追加的な電力調整の例示的な一実施形態では、ＷＴＲＵは、追加的な電力調整によって補償する必要のある電力不均衡を計算することができる。たとえば、ＷＴＲＵは、以下の式を使用して、減らす必要のある追加的な電力Ｐaddを計算することができる。
Ｐadd＝Ｐtot1’−Ｐtot2−ＰTh   式（７）
【００８６】
次に、ＷＴＲＵは、電力調整を介してその量だけ（または、得られる電力差がしきい値を満たすか、それ未満であることを保証するために量子化レベルに基づいて少し多く）第１のキャリアの電力を減らすことができる。これは、たとえば同じ倍率によってそのキャリアのすべてのチャネルを調整することにより達成することができる。
【００８７】
他の例示的な実施形態では、ＷＴＲＵは、あるキャリアで伝送される合計電力と、他のキャリアのＤＰＣＣＨの電力との間の電力差を計算することができる。電力差の少なくとも１つがしきい値より大きい場合、電力不均衡が検出される。より具体的には、ＷＴＲＵは、キャリア１の合計電力とキャリア２のＤＰＣＣＨ電力との間、およびキャリア２の合計電力とキャリア１のＤＰＣＣＨ電力との間の差を計算する。
Ｐ12＝Ｐtot1−ＰDPCCH,2   式（８）
Ｐ21＝Ｐtot2−ＰDPCCH,1   式（９）
ここでＰtot1、Ｐtot2、ＰDPCCH1、およびＰDPCCH2は、上記のように定義される。次に、ＷＴＲＵは、電力不均衡条件が発生するかどうかを検証することができる。これは、Ｐ12およびＰ21をしきい値に比較することによって達成することができ、Ｐ12＞ＰTh、またはＰ21＞ＰThの場合は、電力不均衡条件が存在する。たとえば、Ｐ12＞ＰThの場合、キャリア１はキャリア２に干渉し、キャリア１は侵略側でありキャリア２は犠牲側である。
【００８８】
そのような電力不均衡の結果として、送信機において一方のキャリアが他方のキャリアに干渉するということがある。この結果、ノードＢのＤＰＣＣＨ  ＳＮＲが低くなり、ノードＢは、その犠牲キャリアのＤＰＣＣＨ電力を上げるようにＷＴＲＵに要求することができる。この結果、ＷＴＲＵのヘッドルームが下がり、最終的にはアップリンクにおける容量の損失につながる。
【００８９】
例示的手法の１つでは、そのような電力不均衡の影響を減らすために、ＷＴＲＵは、侵略キャリアの電力を減らし、電力差がしきいを満たすか、それ未満になるようにする。この手法では、ＷＴＲＵは、電力低減量の計算に関係するパラメーターを含む構成メッセージを（たとえばＲＲＣシグナリングを介して）受信することができる。そのようなパラメーターは、たとえば、しきい値、電力オフセット、干渉電力レベル、および伝送損失測定のうちの１つまたは複数を含むことができる。次に、ＷＴＲＵは、１つまたは複数の要素の組み合わせに基づいて電力低減を計算することができる。たとえば、ＷＴＲＵは、犠牲キャリアで伝送されるＤＰＣＣＨ電力を使用することができる。他の例示的手法では、（たとえば既存の測定を使用して取得した）伝送損失の推定を使用することができる。他の例示的手法では、（しきい値、電力オフセット、干渉電力レベル、干渉および雑音電力レベル（ｉｎｔｅｒｆｅｒｅｎｃｅ  ｐｌｕｓ  ｎｏｉｓｅ  ｐｏｗｅｒ  ｌｅｖｅｌ）、または伝送損失測定などの）ネットワークによって伝送される１つまたは複数のパラメーターを使用することができる。他の例示的手法では、侵略キャリアで伝送される合計電力を使用することができる。他の例示的手法では、キャリア漏洩パラメーターを使用することができ、キャリア漏洩パラメーターはＷＴＲＵ固有、仕様書によって固定、またはＲＲＣシグナリングを介してネットワークによって構成することができる。
【００９０】
例示的な実施形態では、キャリア１が侵略側であり、Ｐtot1はキャリア１を通じて伝送された合計電力である場合、およびキャリア漏洩比がＧACLRであり、パス利得がＧPathであり、ノードＢの干渉電力および騒音レベルがＰINであり、しきい値がＴｈである場合、式（３）で第２の条件を使用して、ＷＴＲＵは、以下の式に従って、侵略キャリアの電力低減の係数ａを計算することができる。
ａＰtot1＜（Ｔｈ×ＰIN）／（ＧACLR×ＧPath）      式（１０）
【００９１】
このＷＴＲＵに計算された電力低減は、侵略キャリアにおいてのみＥ−ＤＰＤＣＨに適用することができる。ＷＴＲＵは、Ｅ−ＤＰＤＣＨの電力を、従来の電力調整手順によって許可された最小値よりさらに減らすために、この電力低減を適用することはできない。あるいは、また、ＷＴＲＵは、侵略キャリアのすべてのチャネルに対して、この電力低減を等しく適用することができる。
【００９２】
他の例示的手法では、ＷＴＲＵは、電力不均衡条件が検出された場合に、侵略キャリアＥ−ＤＰＤＣＨに対して固定された電力低減を適用することができる。ＷＴＲＵは、ＲＲＣシグナリングを介して固定された電力低減の係数の値を受信することができる。あるいは、ＷＴＲＵは、規格によって指定された電力低減の係数を使用することができる。
【００９３】
他の例示的手法では、ＷＴＲＵは、電力不均衡条件を検出した場合に、犠牲キャリアのＤＰＣＣＨの電力を上げることができる。これにより、電力制御待機時間および制限されたＤＰＣＣＨ電力増加ステップサイズによるＤＰＣＣＨ電力を目標レベルまで上げるときの遅延を回避できる可能性がある。これは、たとえば次の手法によって達成することができる。ＷＴＲＵは、電力低減の係数を計算するための上記と同様の方法で、犠牲キャリアのＤＰＣＣＨに追加される電力オフセットを計算することができる。たとえば、犠牲キャリアに適用されるＤＰＣＣＨの電力要因φは、以下の公式によって計算することができる。
φ＝１＋（Ｐtot1×ＧACLR×ＧPath）／ＰIN      式（１１）
【００９４】
他の例示的方法では、固定された電力要因は、電力不均衡条件が検出された場合に、犠牲キャリアのＤＰＣＣＨに適用することができる。ＷＴＲＵは、ＲＲＣシグナリングを介してこの電力要因を受信することができる。あるいは、ＷＴＲＵは、規格によって指定された電力要因を使用することができる。
【００９５】
他の例示的方法では、電力不均衡条件が発生した場合、ＷＴＲＵは電力を制限することができる。そのような場合、ＷＴＲＵは、侵略キャリアにおけるＥ−ＤＰＤＣＨの電力を減らすことができるため、犠牲キャリアの電力の一部を解放し、そのデータ情報を適切に送信するために使用することができる。したがって、この場合、電力不均衡のための電力調整は、従来の電力調整手順の前に実行することができる。必要に応じて、ネットワーク側において、ＷＴＲＵがデュアルキャリアを用いて動作している場合、無線ネットワーク制御装置（ＲＮＣ）は、異なるＤＰＣＣＨ  ＳＩＲターゲットを用いてノードＢを構成することができる。補助キャリアが有効化されたときに、ノードＢはこの値を使用することができ、補助キャリアが無効化されたときに、単一キャリアのＤＰＣＣＨ  ＳＩＲターゲットに戻ることができる。この異なるＤＰＣＣＨ  ＳＩＲターゲットは、その補助キャリアが有効化されたときに、所定のＷＴＲＵに対するノードＢでＤＰＣＣＨ  ＳＩＲターゲットに適用されるＳＩＲオフセットによって、ＲＮＣによって信号で送ることができる。
【００９６】
本明細書では、ＷＴＲＵが電力不均衡を検出し、ネットワークに通知するときの手法について記述する。例示的な一実施形態では、ＷＴＲＵは、電力不均衡条件を検出し、ネットワークにそれを信号で送ることができる。電力不均衡条件が存在することを断定するために、ＷＴＲＵは、第１のキャリアで伝送される合計電力と第２のキャリアで伝送される合計電力との間の電力差をしきい値に比較することができる。あるいは、ＷＴＲＵは、（あるキャリアで伝送される合計電力と他のキャリアで伝送されるＤＰＣＣＨ電力との間の）電力差をしきい値に比較したり、その反対に比較したりすることができる。ＷＴＲＵは、これらの操作を無線スロットごと、またはＴＴＩごとに実行することができる。電力差のいずれかがしきい値を超えている場合、ＷＴＲＵはこの条件をネットワークに通知する。必要に応じて、ＷＴＲＵは、電力不均衡条件が検出された連続する無線スロット（またはＴＴＩ）の数をカウントすることができる。カウントは、電力不均衡条件が検出されないスロット（またはＴＴＩ）ごとにリセットすることができる。カウントが特定の値に達すると、ＷＴＲＵは、電力不均衡条件をネットワークに通知することができる。あるいは、ＷＴＲＵは、構成された期間（スライディングウィンドウ）に電力不均衡条件が検出された無線スロット（またはＴＴＩ）の数をカウントすることができる。カウントが構成されたしきい値を超えた場合、ＷＴＲＵは、電力不均衡条件が検出されたとネットワークに通知する。たとえば、ＷＴＲＵが、最後のＭ  ＴＴＩにおいてＮ以上の電力不均衡イベントをカウントした場合、ＷＴＲＵはネットワークに通知する。
【００９７】
ノードＢで終了すると、通知はＭＡＣ−ｉまたはＭＡＣ−ｅのヘッダーの新しいフィールド経由で送信することができる。あるいは、ＷＴＲＵは、ネットワークにＲＲＣメッセージを送信して条件を示すことができる。このＲＲＣメッセージは測定レポートでもよい。他の代替案では、ＷＴＲＵは、システム情報（ＳＩ）を介して情報を送信することができ、その場合には、電力不均衡状況の検出は、ＳＩを送信するためのトリガーとして機能する。情報は、たとえば、第２のキャリアのＳＩにおける未使用ビットの１つで運ぶことができる。あるいは、新しいフィールドをＳＩに導入したり、または、ビットの組み合わせを再解釈したりする。
【００９８】
他の例示的な実施形態では、単一キャリアの既存の隣接チャネル漏洩電力比（ＡＣＬＲ：Ａｄｊａｃｅｎｔ  Ｃｈａｎｎｅｌ  Ｌｅａｋａｇｅ  Ｒａｔｉｏ）要件がデュアルキャリアＨＳＵＰＡのために維持されると想定し、キャリア間で異なる最大電力を処理するために合計送信電力に基づく手法を使用することができる。この実施形態では、合計送信電力がＷＴＲＵの最大電力を超えない場合、内側および外側のループ電力制御機構が電力不均衡を処理する。また、合計送信電力がＷＴＲＵの最大電力を超えた場合、電力低減および電力調整ならびに本明細書に記述した対応するＥ−ＴＦＣ手法が、電力不均衡を処理するために選択される。
【００９９】
ＤＣ−ＨＳＵＰＡについて、ＷＴＲＵは、デュアルキャリア操作時に２つのキャリアで合計電力を共有することができる。フロントエンドに非線形の潜在的なソースがあり、実装形態に依存して、これは電力増幅器、ミキサー、および他の構成要素を含むことができる。一般的に言って、単一キャリアＨＳＵＰＡと比較すると、ＤＣ−ＨＳＵＰＡのＳＮＲは、デュアルキャリアが合計電力を共有するからだけではなく、デュアルキャリアは互いに変調してＡＣＬＲに貢献するために下がる。ＡＣＬＲは、特定のハードウェア構成が、マルチまたはデュアルの搬送波信号によって、および同じ合計電力を有する単一の搬送波信号によって交互に駆動されるときに増加することができる。したがって、デュアルキャリアに最大の電力差が発生した場合、侵略キャリアからの大きなスペクトルの漏れのために、犠牲キャリアのＤＰＣＣＨ  ＳＮＲに大きな劣化がある可能性がある。これを避けるには、ＤＣ−ＨＳＵＰＡについて、単一キャリアの既存のＡＣＬＲ要件のように、受け入れ可能なＡＣＬＲを維持する必要がある。
【０１００】
この実施形態の一部として、既存の電力制御機構を使用することによって（つまり、Ｆ−ＤＣＰＨ（Ｆｒａｃｔｉｏｎａｌ  Ｄｅｄｉｃａｔｅｄ  Ｐｈｙｓｉｃａｌ  Ｃｈａｎｎｅｌ）を通じて送信されたＤＬ  ＴＰＣコマンドを介して）、２つのキャリア上のＵＬ  ＤＰＣＣＨ受信電力の差が、所定のＷＴＲＵの所定のしきい値内に収まることを保証することによって、電力不均衡の問題を解決するために、ノードＢ（ＵＴＲＡＮ）を構成することができる。このしきい値は、事前に構成することも、またはＲＮＣによってノードＢに信号で送ることもできる。
【０１０１】
２つのキャリア間のＵＬ  ＤＰＣＣＨ受信電力差を所定のしきい値未満に維持するための例示的な具体例を本明細書に記述する。デュアルキャリアのＵＬ  ＤＰＣＣＨ受信電力の差が所定のしきい値より大きい場合、ノードＢは、犠牲キャリアの推定されるＤＰＣＣＨ  ＳＩＲをＤＰＣＣＨ  ＳＩＲターゲットにオフセットを加えたものに比較し、ＴＰＣコマンドを生成する。これは、犠牲キャリアのＤＰＣＣＨ電力を高める可能性があり、デュアルキャリア間の電力不均衡を減少させることができる。デュアルキャリアのＵＬ  ＤＰＣＣＨ受信電力の差が、所定のしきい値以下である場合、従来の電力制御は、キャリアごとに、つまりＤＰＣＣＨ  ＳＩＲターゲットを相殺することなく、独立して実行することができる。たとえば、次のように想定する。１）ＳＩＲＴａｒｇｅｔ１およびＳＩＲＴａｒｇｅｔ２は、キャリアごと構成されたＳＩＲターゲットを示す（単一のＳＩＲＴａｒｇｅｔを構成することもでき、その場合には、ＳＩＲＴａｒｇｅｔ１＝ＳＩＲＴａｒｇｅｔ  ２となる）ことに留意されたい。２）Ｒｘ１およびＲｘ２は、キャリア１およびキャリア２に対する測定されたＵＬ  ＤＰＣＣＨ受信電力をそれぞれ示す。３）ＭＡＸ＿ＤＰＣＣＨ＿ＤＥＬＴＡは、Ｒｘ１とＲｘ２との間の望まれる最大差を示す。そして、４）ＴＡＲＧＥＴ＿ＯＦＦＳＥＴは、上位レイヤから与えられたＳＩＲＴａｒｇｅｔ１またはＳＩＲＴａｒｇｅｔ２を調整するために使用されるオフセットを示す。
【０１０２】
次に、デュアルキャリアに対する提案された２つの独立した内部ループの電力制御方法は、表１に示す次の形式をとることができる。
【０１０３】
【表１】
2014003684.tif 000003
【０１０４】
表１
【０１０５】
デュアルキャリアについて表１に示した内部ループの電力制御手法は、２つのキャリア上のＵＬ  ＤＰＣＣＨ受信電力の差が、両方のキャリア上のＳＩＲｔａｒｇｅｔ品質を満たしながら所定のしきい値内に収まることを保証することができる。この手法は、サービス品質（ＱｏＳ）の観点から望ましくない可能性がある侵略キャリアのＳＩＲｔａｒｇｅｔを減らすことによって、同じ目的を達成するために変更することができる。
【０１０６】
ジョイントＵＬデュアルキャリアの内部ループの電力制御方法を示す他の例示的な具体例では、次のように想定する。１）ＳＩＲ１およびＳＩＲ２は、キャリア１および２の測定されたＳＩＲレベルをそれぞれ表す。２）ＳＩＲＴａｒｇｅｔ１およびＳＩＲＴａｒｇｅｔ２は、キャリアごとに構成されたＳＩＲターゲットを示す（単一のＳＩＲＴａｒｇｅｔを構成することができ、その場合には、ＳＩＲＴａｒｇｅｔ１＝ＳＩＲＴａｒｇｅｔ２となる）ことに留意されたい。３）Ｒｘ１およびＲｘ２は、キャリア１およびキャリア２に対する測定されたＵＬ  ＤＰＣＣＨ受信電力をそれぞれ示す。４）ＳｔｅｐＳｉｚｅは、ノードＢによるＵＰまたはＤＯＷＮコマンドに従うＷＴＲＵによって適用される電力の増加／減少を示す。５）ＴＰＣ１およびＴＰＣ２は、ノードＢがキャリア１およびキャリア２に対して生成したＵＰ／ＤＯＷＮ  ＴＰＣコマンドを示す。ＴＰＣ１およびＴＰＣ２は、ジョイント内部ループの電力制御方法の出力である。そして、６）ＭＡＸ＿ＤＰＣＣＨ＿ＤＥＬＴＡは、Ｒｘ１とＲｘ２との間の望ましい最大差を示す。
【０１０７】
次に、表２に示すように、共同で決定した内部ループの電力制御コマンドを導き出すことができる。
【０１０８】
【表２】
2014003684.tif 000004
【０１０９】
表２
【０１１０】
この例示的手法では、キャリアごとの最大電力差を満たすことについて、キャリアごとにＳＩＲｔａｒｇｅｔ品質に達することを優先する。この手法は、一方または両方のキャリアにおいてＳＩＲｔａｒｇｅｔを満たさないという犠牲の代わりに、最大搬送波電力差に、より速く達するように変更することができる。
【０１１１】
必要に応じて、ノードＢは、所定のＷＴＲＵの各キャリア上の合計受信電力（Ｅ−ＤＰＤＣＨ、Ｅ−ＤＰＣＣＨ、および／またはＨＳ−ＳＣＣＨを含む）の差が所定のしきい値内に収まるように保証したい可能性がある。例示的な一実施形態では、ノードＢは、ＵＬ  ＤＰＣＣＨ受信電力一致法を適用し、キャリアごとに提供されるスケジューリング許可の差が特定のしきい値内に収まるように保証することができる。代替的実施形態では、ノードＢは、（たとえば、受信したＳＩＲをキャリアごとのターゲットＳＩＲに単に比較することによって）キャリアごとにＵＬ  ＤＰＣＣＨに対する内部ループの電力制御コマンドを独立して決定することができ、スケジューリング許可が完全に利用されると想定して、両方のキャリアにおいてＷＴＲＵからの合計受信電力の差が、事前に定義したしきい値内に収まることを保証することによって、２つのキャリアを横断してスケジューリング許可を共同で決定することができる。
【０１１２】
すべての場合において、最大電力差のしきい値は、事前に構成することも（つまり事前に定義した「永久的な」値）、またはＩｕｂインターフェイスを通じて信号を送ることによってＲＮＣによって構成することもできる。
【０１１３】
ここでは、マルチモード電力調整について記述する。第２のＵＬキャリアの無線リンク確立時に、ＷＴＲＵは、関連するダウンリンクＦ−ＤＰＣＨにおいて受信されるＴＰＣコマンドによって決定される電力を用いてＤＰＣＣＨを伝送することができる。ノードＢでの無線リンク同期障害による潜在的な無制限のＤＰＣＣＨ関係する懸念が増加し、第２のキャリアのＤＰＣＣＨ電力に課される電力制限が、この問題を解決する手段として提案されている。
【０１１４】
したがって、マルチモード電力調整方法を本明細書に記述する。このマルチモード電力調整方法は、ＤＣ−ＨＳＵＰＡとの関連で提案されているが、他の技術に適用することができる。
【０１１５】
例として示すマルチモード電力調整手法は、２つ以上の電力調整モードから構成される：１）電力調整モードを交互に入れ替える１つまたは複数のトリガー、および２）実行可能なトリガーに関して、電力調整モードがどのように変わるかを示す１組の規則。
【０１１６】
電力調整モードは、たとえば、本明細書または３ＧＰＰ仕様書などの他の文書に記述された電力調整手法のいずれかからでも構成することができる。ＷＴＲＵは、仕様書からの１組のトリガーおよび規則を取得することも、または（たとえばＲＲＣシグナリングを介して）ネットワークによって構成メッセージを介して１組のトリガーおよび規則を受信することもできる。
【０１１７】
ＷＴＲＵが電力調整モードの１つで動作する場合、電力調整モードを変更するトリガーを受信することができる。ＷＴＲＵは、規則によって決定されたときに電力調整モードを変更し、新しいモードに従って電力調整を適用し始めることができる。
【０１１８】
第１の例では、第１の電力調整モードは、最初に第２のキャリアの電力を調整することから構成される。第２の電力調整モードは、最初に最大ＤＰＣＣＨ電力を用いてキャリアの電力を調整することから構成される。トリガーおよび規則は次のように定義することができる：１）第２のキャリアを有効化するときに、ＷＴＲＵは第１の電力調整モードを使用することができ、２）タイマーの期限が切れた後に、ＷＴＲＵは第２の電力調整モードを使用することができる。
【０１１９】
タイマーは、仕様書において事前に構成することも、またはＷＴＲＵがＲＲＣシグナリングを介してその値を受信することもできる。ＷＴＲＵがＵＬ伝送を開始したとき、またはしばらく後、たとえば、ダウンリンク物理チャネルが確立されたと上位レイヤが判断したときに、ＷＴＲＵはタイマーを開始することができる。
【０１２０】
実施形態：
実施形態１
マルチキャリア操作のために電力調整を実行することを含む方法。
【０１２１】
実施形態２
個別物理制御チャネル（ＤＰＣＣＨ）の電力調整を適用した後に、電力調整手順を実行することさらに含む実施形態１に記載の方法。
【０１２２】
実施形態３
無線送受信ユニット（ＷＴＲＵ）の合計送信電力は所定値を超える先行する任意の実施形態に記載の方法。
【０１２３】
実施形態４
ＷＴＲＵの合計送信電力が所定値を超えないところまで、Ｅ−ＤＰＣＣＨ（Ｅｎｈａｎｃｅｄ  Ｄｅｄｉｃａｔｅｄ  Ｃｈａｎｎｅｌ（Ｅ−ＤＣＨ）Ｄｅｄｉｃａｔｅｄ  Ｐｈｙｓｉｃａｌ  Ｃｏｎｔｒｏｌ  Ｃｈａｎｎｅｌ）の電力を下方調整することをさらに含む先行する任意の実施形態に記載の方法。
【０１２４】
実施形態５
少なくとも１つのキャリアのＥＰ−ＤＰＤＣＨに対して最小の電力調整が提供される先行する任意の実施形態に記載の方法。
【０１２５】
実施形態６
最小の電力調整構成は、ＲＲＣ（Ｒａｄｉｏ  Ｒｅｓｏｕｒｃｅ  Ｃｏｎｔｒｏｌ）シグナリングを介して受信される先行する任意の実施形態に記載の方法。
【０１２６】
実施形態７
最大電力レベルは、キャリアごとに設定される先行する任意の実施形態に記載の方法。
【０１２７】
実施形態８
すべてのアップリンク（ＵＬ）キャリアのＥ−ＤＰＤＣＨ電力が等しく調整される先行する任意の実施形態に記載の方法。
【０１２８】
実施形態９
最初にすべてのＵＬ補助キャリアを等しく調整することと、次にアンカーキャリアを調整することと、をさらに含む先行する任意の実施形態に記載の方法。
【０１２９】
実施形態１０
次に、各キャリアの電力調整は、複数のキャリアに適用される共通の電力調整要因に組み合わせたキャリアごとの重みの形式をとる先行する任意の実施形態に記載の方法。
【０１３０】
実施形態１１
キャリアごとの重みは、キャリアごとのサービング許可に基づいて決定される先行する任意の実施形態に記載の方法。
【０１３１】
実施形態１２
キャリアごとの重みは、構成された重みの組または事前に構成された重みの組に基づいて決定される先行する任意の実施形態に記載の方法。
【０１３２】
実施形態１３
キャリアごとの重みはキャリアタイプに基づいて決定され、アンカーおよび補助キャリア、または複数のキャリアの電力調整のためのキャリアごとの構成された重みの組または事前に定義された重みの組が使用される先行する任意の実施形態に記載の方法。
【０１３３】
実施形態１４
キャリアごとの重みは、キャリアごとのネットワークによって定義された最大電力に基づいて決定される先行する任意の実施形態に記載の方法。
【０１３４】
実施形態１５
一度に１つのキャリアを調整することをさらに含む先行する任意の実施形態に記載の方法。
【０１３５】
実施形態１６
各キャリアは、電力調整のために連続的に処理される先行する任意の実施形態に記載の方法。
【０１３６】
実施形態１７
処理順序は、無線ネットワーク制御装置（ＲＮＣ）によって伝送された値に基づく先行する任意の実施形態に記載の方法。
【０１３７】
実施形態１８
処理順序は、アンカーキャリアおよび構成された第２のキャリアの数に基づく先行する任意の実施形態に記載の方法。
【０１３８】
実施形態１９
電力調整は、アンカーキャリアに対して最初に実行され、複数の補助キャリアが構成されているという条件において、同じ電力調整をすべての補助キャリアに適用することができる先行する任意の実施形態に記載の方法。
【０１３９】
実施形態２０
アンカーキャリアのＥ−ＤＰＤＣＨからの電力が所定値まで下方調整されるまで、少なくとも１つの補助キャリアの電力は調整されない先行する任意の実施形態に記載の方法。
【０１４０】
実施形態２１
キャリアの処理順序が事前に定義されている先行する任意の実施形態に記載の方法。
【０１４１】
実施形態２２
キャリアの処理順序は、ＷＴＲＵ許可に基づく先行する任意の実施形態に記載の方法。
【０１４２】
実施形態２３
キャリアの処理順序は、各キャリアのパワーヘッドルームに基づく先行する任意の実施形態に記載の方法。
【０１４３】
実施形態２４
キャリアの処理順序は、シグナリング無線ベアラ（ＳＲＢ）に基づく先行する任意の実施形態に記載の方法。
【０１４４】
実施形態２５
キャリアの処理順序は、伝送が各キャリアの第１の伝送であるか、またはハイブリッド自動再送要求（ＨＡＲＱ）再伝送かに基づく先行する任意の実施形態に記載の方法。
【０１４５】
実施形態２６
Ｅ−ＤＰＤＣＨおよびＥ−ＤＰＣＣＨの両方が、ＤＰＤＣＨまたはＨＳ−ＤＰＣＣＨを運んでいないキャリアで不連続的に伝送されるという条件で、キャリアを無効化することをさらに含む先行する任意の実施形態に記載の方法。
【０１４６】
実施形態２７
すべての補助キャリアが無効化され、ＷＴＲＵの合計送信電力がまだ所定値を超えている条件において、追加的な調整を残りのキャリアに適用することをさらに含む先行する任意の実施形態に記載の方法。
【０１４７】
実施形態２８
２つ以上のＥ−ＤＣＨトランスポートブロックを伝送することをさらに含む先行する任意の実施形態に記載の方法。
【０１４８】
実施形態２９
ＷＴＲＵは、キャリアごとに構成されたゼロでないＥ−ＤＣＨ最小セットＥ−ＤＣＨトランスポートフォーマットコンビネーションインジケータ（Ｅ−ＴＦＣＩ）を持つ先行する任意の実施形態に記載の方法。
【０１４９】
実施形態３０
ＷＴＲＵは、電力調整がキャリアに適用されるという条件で、アンカーキャリア以外の任意のキャリアに対する新しいＥ−ＤＣＨトランスポートブロックを作成しない先行する任意の実施形態に記載の方法。
【０１５０】
実施形態３１
ＷＴＲＵは、電力調整が補助キャリアに適用されているという条件で、アンカーキャリア以外の任意のキャリアに対する新しいＥ−ＤＣＨトランスポートブロックを作成しない先行する任意の実施形態に記載の方法。
【０１５１】
実施形態３２
ＷＴＲＵは、電力調整が任意のキャリアに適用されるという条件で、新しいＥ−ＤＣＨトランスポートブロックを作成しない先行する任意の実施形態に記載の方法。
【０１５２】
実施形態３３
電力不均衡を減らすために電力調整を実行することをさらに含む先行する任意の実施形態に記載の方法。
【０１５３】
実施形態３４
電力不均衡のしきい値は、２つのキャリアによって許容できる電力差を示す先行する任意の実施形態に記載の方法。
【０１５４】
実施形態３５
電力不均衡のしきい値はＷＴＲＵによって決定される先行する任意の実施形態に記載の方法。
【０１５５】
実施形態３６
電力不均衡のしきい値は、
ＷＴＲＵのＤＰＣＣＨ送信電力、
ＷＴＲＵの合計送信電力、
伝送した合計電力、
ＷＴＲＵによって測定される共通パイロットチャネル（ＣＰＩＣＨ）の電力、
絶対的なＣＰＩＣＨ電力または他の手段についての知識からＷＴＲＵによって推定される伝送損失、
ネットワークによって構成され、無線資源制御（ＲＲＣ）シグナリングを介してＷＴＲＵによって受信されたオフセットまたはしきい値、および
事前に定義されたオフセットまたはしきい値の少なくとも１つに基づく先行する任意の実施形態に記載の方法。
【０１５６】
実施形態３７
各キャリアが電力不均衡をしきい値より低く維持するために電力を調整することさらに含む先行する任意の実施形態に記載の方法。
【０１５７】
実施形態３８
各キャリアを通じて伝送された合計電力を計算することをさらに含む先行する任意の実施形態に記載の方法。
【０１５８】
実施形態３９
最大送信電力を用いるキャリアに電力調整を適用することをさらに含む先行する任意の実施形態に記載の方法。
【０１５９】
実施形態４０
ＰＥ−ＤＰＤＣＨ，１が減らされるように、キャリア１のＥ−ＤＰＤＣＨに電力調整を適用することをさらに含む先行する任意の実施形態に記載の方法。
【０１６０】
実施形態４１
追加的な電力調整を実行することをさらに含む先行する任意の実施形態に記載の方法。
【０１６１】
実施形態４２
追加的な電力調整は、第２のキャリアのＤＰＣＣＨの電力を高めることをさらに含む先行する任意の実施形態に記載の方法。
【０１６２】
実施形態４３
追加的な電力調整は、第２のキャリアのＥ−ＤＰＤＣＨの電力を高めることをさらに含む先行する任意の実施形態に記載の方法。
【０１６３】
実施形態４４
追加的な電力調整は、等しい電力増加を第２のキャリアを通じて運ばれるすべてのチャネルに適用することをさらに含む先行する任意の実施形態に記載の方法。
【０１６４】
実施形態４５
追加的な電力調整は、最大送信電力を超えない場合に、第２のキャリアのみの制御チャネルの電力を高めることをさらに含む先行する任意の実施形態に記載の方法。
【０１６５】
実施形態４６
追加的な電力調整によって補償する必要のある電力不均衡を計算することをさらに含む先行する任意の実施形態に記載の方法。
【０１６６】
実施形態４７
第１のキャリアで伝送される合計電力と、第２のキャリアにおけるＤＰＣＣＨの電力との間で電力の差を計算することをさらに含む先行する任意の実施形態に記載の方法。
【０１６７】
実施形態４８
電力差は所定のしきい値未満であるように、侵略キャリアの電力を減らすことをさらに含む先行する任意の実施形態に記載の方法。
【０１６８】
実施形態４９
電力低減の量の計算に関係するパラメーターを含む構成メッセージを受信することをさらに含む先行する任意の実施形態に記載の方法。
【０１６９】
実施形態５０
パラメーターは、
犠牲キャリアで伝送されるＤＰＣＣＨ電力、
伝送損失の推定、
しきい値、電力オフセット、干渉電力レベル、干渉および雑音電力レベル、または伝送損失測定、
侵略キャリアで伝送された合計電力、および
キャリア漏洩パラメーターであって、ＷＴＲＵ固有、仕様書によって固定、またはＲＲＣシグナリングを介してネットワークによって構成することができるキャリア漏洩パラメーターの少なくとも１つを含む先行する任意の実施形態に記載の方法。
【０１７０】
実施形態５１
ＷＴＲＵで計算された電力低減は、侵略キャリアのみのＥ−ＤＰＤＣＨに適用される先行する任意の実施形態に記載の方法。
【０１７１】
実施形態５２
電力不均衡条件が検出された場合に、侵略キャリアＥ−ＤＰＤＣＨに対して固定された電力低減を適用することをさらに含む先行する任意の実施形態に記載の方法。
【０１７２】
実施形態５３
電力不均衡条件が検出された場合に、犠牲キャリアのＤＰＣＣＨの電力を高めることをさらに含む先行する任意の実施形態に記載の方法。
【０１７３】
実施形態５４
固定された電力要因は、電力不均衡条件が検出された場合に、犠牲キャリアのＤＰＣＣＨに適用される先行する任意の実施形態に記載の方法。
【０１７４】
実施形態５５
電力不均衡条件が発生した場合、ＷＴＲＵは電力を制限されるという条件で、侵略キャリアのＥ−ＤＰＤＣＨの電力を下げることをさらに含む先行する任意の実施形態に記載の方法。
【０１７５】
実施形態５６
電力不均衡に対する電力調整は、従来の電力調整手順の前に実行される先行する任意の実施形態に記載の方法。
【０１７６】
実施形態５７
ＷＴＲＵがデュアルキャリアを用いて動作している場合、無線ネットワーク制御装置（ＲＮＣ）は、所定のＤＰＣＣＨ  ＳＩＲターゲットを有するノードＢを構成する先行する任意の実施形態に記載の方法。
【０１７７】
実施形態５８
ノード−Ｂは、補助キャリアが有効化されたときに、所定のＤＰＣＣＨ信号対混信比（ＳＩＲ）ターゲット値を使用し、補助キャリアが無効化されたときに、単一キャリアのＤＰＣＣＨ  ＳＩＲターゲットに戻ることができる先行する任意の実施形態に記載の方法。
【０１７８】
実施形態５９
電力不均衡を検出しネットワークに信号で送ることをさらに含む先行する任意の実施形態に記載の方法。
【０１７９】
実施形態６０
シグナリングは、ＭＡＣ−ｉまたはＭＡＣ−ｅのヘッダーのフィールドを介して伝送される先行する任意の実施形態に記載の方法。
【０１８０】
実施形態６１
２つのキャリア上のＵＬ  ＤＰＣＣＨ受信電力の差を所定のＷＴＲＵの所定のしきい値内に保証することによって、電力不均衡の問題を解決することをさらに含む先行する任意の実施形態に記載の方法。
【０１８１】
実施形態６２
Ｆ−ＤＣＰＨ（Ｆｒａｃｔｉｏｎａｌ  Ｄｅｄｉｃａｔｅｄ  Ｐｈｙｓｉｃａｌ  Ｃｈａｎｎｅｌ）を通じて送信電力コマンド（ＴＰＣ）コマンドを伝送する先行する任意の実施形態に記載の方法。
【０１８２】
実施形態６３
犠牲キャリアの推定されるＤＰＣＣＨ  ＳＩＲをそのＤＰＣＣＨ  ＳＩＲターゲットにオフセットを加えたものに比較することと、
ＴＰＣコマンドを生成することとをさらに含む先行する任意の実施形態に記載の方法。
【０１８３】
実施形態６４
デュアルキャリアのＵＬ  ＤＰＣＣＨ受信電力の差が、所定のしきい値以下であるという条件で、ＤＰＣＣＨ  ＳＩＲターゲットを相殺することなく、正常な２つの独立した電力制御を実行することをさらに含む先行する任意の実施形態に記載の方法。
【０１８４】
実施形態６５
デュアルキャリアに対する内部ループの電力制御アルゴリズムを実行することをさらに含む先行する任意の実施形態に記載の方法。
【０１８５】
実施形態６６
侵略キャリアのＳＩＲｔａｒｇｅｔを減らすことをさらに含む先行する任意の実施形態に記載の方法。
【０１８６】
実施形態６７
キャリアごとの最大電力差を満たすことについて、キャリアごとにＳＩＲｔａｒｇｅｔ品質に達することを優先することをさらに含む先行する任意の実施形態に記載の方法。
【０１８７】
実施形態６８
ノードＢは、所定のＷＴＲＵに対する各キャリア上の合計受信電力の差が所定のしきい値内にあることを保証する先行する任意の実施形態に記載の方法。
【０１８８】
実施形態６９
最大電力差のしきい値は、Ｉｕｂインターフェイスを通じて信号を送ることによってＲＮＣによって構成される先行する任意の実施形態に記載の方法。
【０１８９】
実施形態７０
マルチモード電力調整を実行する先行する任意の実施形態に記載の方法。
【０１９０】
実施形態７１
マルチモード電力調整方法は、複数の電力調整モード、電力調整モードを交互に入れ替える１つまたは複数のトリガー、および実行可能なトリガーに関して、電力調整モードがどのように変わるかを示す１組の規則から構成される先行する任意の実施形態に記載の方法。
【０１９１】
実施形態７２
電力調整モードを変更するためにトリガーを受信することをさらに含む先行する任意の実施形態に記載の方法。
【０１９２】
実施形態７３
第１の電力調整モードは、最初に第２のキャリアの電力を調整することから構成される先行する任意の実施形態に記載の方法。
【０１９３】
実施形態７４
第２の電力調整モードは、最初に最大ＤＰＣＣＨ電力を用いてキャリアの電力を調整することから構成される先行する任意の実施形態に記載の方法。
【０１９４】
実施形態７５
第２のキャリアを有効化するときに、ＷＴＲＵは、第１の電力調整モードを使用する先行する任意の実施形態に記載の方法。
【０１９５】
実施形態７６
タイマーの期限が切れた後に、ＷＴＲＵは第２の電力調整モードを使用する先行する任意の実施形態に記載の方法。
【０１９６】
実施形態７７
タイマーが事前に構成されている先行する任意の実施形態に記載の方法。
【０１９７】
実施形態７８
タイマーはＲＲＣシグナリングを介して値を受信する先行する任意の実施形態に記載の方法。
【０１９８】
実施形態７９
ＵＬ伝送が開始されたときにタイマーを開始することをさらに含む先行する任意の実施形態に記載の方法。
【０１９９】
実施形態８０
マルチキャリア無線送受信ユニット（ＷＴＲＵ）において電力調整する方法であって、
ＷＴＲＵの合計送信電力が所定値を超えるかどうかを判断することを含む方法。
【０２００】
実施形態８１
ＷＴＲＵの合計送信電力が所定値を超えるという条件で、複数のキャリアから少なくとも１つのキャリアを選択することをさらに含む実施形態８０に記載の方法。
【０２０１】
実施形態８２
ＷＴＲＵの合計送信電力が少なくとも所定値を満たすまで、選択されたキャリアの少なくとも１つのチャネルに電力調整を適用することをさらに含む実施形態８０〜８１のいずれかに記載の方法。
【０２０２】
実施形態８３
少なくとも１つのキャリアの選択は、電力測定基準に基づく実施形態８０〜８２のいずれかに記載の方法。
【０２０３】
実施形態８４
電力測定基準は、制御チャネルの電力レベルまたはＷＴＲＵパワーヘッドルームの１つである実施形態８０〜８３のいずれかに記載の方法。
【０２０４】
実施形態８５
選択されたキャリアは、最も高い電力レベルを持つ制御チャネルに関係する実施形態８０〜８４のいずれかに記載の方法。
【０２０５】
実施形態８６
少なくとも１つのチャネルはデータチャネルである実施形態８０〜８５のいずれかに記載の方法。
【０２０６】
実施形態８７
複数のデータチャネルは等しく電力調整される実施形態８０〜８６のいずれかに記載の方法。
【０２０７】
実施形態８８
電力調整は、最小伝送値に達するまで適用される実施形態８０〜８７のいずれかに記載の方法。
【０２０８】
実施形態８９
最小伝送値に達し、ＷＴＲＵの合計送信電力がまだ所定値を超えているという条件で、電力測定基準に基づいて、少なくとも他のキャリアを繰り返し選択することをさらに含む実施形態８０〜８８のいずれかに記載の方法。
【０２０９】
実施形態９０
最小伝送値に達することなくＷＴＲＵの合計送信電力が少なくとも所定値を満たすまで、少なくとも他のキャリアに電力調整を繰り返し適用することをさらに含む実施形態８０〜８９のいずれかに記載の方法。
【０２１０】
実施形態９１
最小伝送値は上位レイヤによって構成される実施形態８０〜９０のいずれかに記載の方法。
【０２１１】
実施形態９２
すべてのチャネルについて最小伝送値に達し、ＷＴＲＵの合計送信電力がまだ所定値を超えているという条件で、すべてのチャネルに対して追加的な調整を実行することをさらに含む実施形態８０〜９１のいずれかに記載の方法。
【０２１２】
実施形態９３
すべてのキャリアについて最小伝送値に達し、ＷＴＲＵの合計送信電力がまだ所定値を超えているという条件で、すべてのキャリアに対して追加的な調整を実行することをさらに含む実施形態８０〜９２のいずれかに記載の方法。
【０２１３】
実施形態９４
ＷＴＲＵの合計送信電力は、ＤＰＣＣＨ（Ｄｅｄｉｃａｔｅｄ  Ｐｈｙｓｉｃａｌ  Ｃｏｎｔｒｏｌ  Ｃｈａｎｎｅｌ）電力調整および利得係数を適用した後である実施形態８０〜９３のいずれかに記載の方法。
【０２１４】
実施形態９５
制御チャネルはＥ−ＤＰＣＣＨ（Ｄｅｄｉｃａｔｅｄ  Ｐｈｙｓｉｃａｌ  Ｃｏｎｔｒｏｌ  Ｃｈａｎｎｅｌ）である実施形態８０〜９４のいずれかに記載の方法。
【０２１５】
実施形態９６
少なくとも１つのチャネルは、Ｅ−ＤＰＣＣＨ（Ｅｎｈａｎｃｅｄ  Ｄｅｄｉｃａｔｅｄ  Ｃｈａｎｎｅｌ（Ｅ−ＤＣＨ）Ｄｅｄｉｃａｔｅｄ  Ｐｈｙｓｉｃａｌ  Ｃｏｎｔｒｏｌ  Ｃｈａｎｎｅｌ）である実施形態８０〜９５のいずれかに記載の方法。
【０２１６】
実施形態９７
所定値はキャリアごとに構成される実施形態８０〜９６のいずれかに記載の方法。
【０２１７】
実施形態９８
電力調整は、少なくとも１つのチャネルの最小電力に達するまで適用される実施形態８０〜９７のいずれかに記載の方法。
【０２１８】
実施形態９９
電力調整は、少なくとも１つのチャネル電力がゼロになるまで適用される実施形態８０〜９８のいずれかに記載の方法。
【０２１９】
実施形態１００
電力調整は、少なくとも１つのチャネルが不連続な伝送モードになるまで適用される実施形態８０〜９９のいずれかに記載の方法。
【０２２０】
実施形態１０１
電力調整は、データチャネル利得係数を減らすことによって適用される実施形態８０〜１００のいずれかに記載の方法。
【０２２１】
実施形態１０２
マルチキャリア無線送受信ユニット（ＷＴＲＵ）において電力調整する方法であって、
第１のキャリアおよび第２のキャリアに関して、電力不均衡が所定のしきい値に達したかどうかを判断することを含む方法。
【０２２２】
実施形態１０３
電力不均衡が所定値未満になるまで、第１のキャリアおよび第２のキャリアの少なくとも１つに電力調整を適用することをさらに含む実施形態１０２に記載の方法。
【０２２３】
実施形態１０４
電力不均衡は、第１のキャリアと第２のキャリアとの間の合計送信電力差、あるキャリアの合計送信電力と他のキャリアの制御チャネル電力との間の差、または第１のキャリアと第２のキャリアとの間の制御チャネル電力差のうちの１つである実施形態１０２〜１０３のいずれかに記載の方法。
【０２２４】
実施形態１０５
電力調整は、最も高い合計送信電力を有するキャリアに適用される実施形態１０２〜１０４のいずれかに記載の方法。
【０２２５】
実施形態１０６
最小値に達し、電力不均衡がまだ所定値を満たしているという条件で、追加的な調整を実行することをさらに含む実施形態１０２〜１０５のいずれかに記載の方法。
【０２２６】
実施形態１０７
追加的な調整は、第１のキャリアおよび第２のキャリアの残りのキャリアに適用される実施形態１０２〜１０６のいずれかに記載の方法。
【０２２７】
実施形態１０８
追加的な電力調整は、残りのキャリアの少なくとも制御チャネルの電力を高める実施形態１０２〜１０７のいずれかに記載の方法。
【０２２８】
実施形態１０９
追加的な電力調整は、少なくとも残りのキャリアのデータチャネルの電力を高める実施形態１０２〜１０８のいずれかに記載の方法。
【０２２９】
実施形態１１０
電力低減の計算に関係するパラメーターを含む構成メッセージを受信することをさらに含む実施形態１０２〜１０９のいずれかに記載の方法。
【０２３０】
実施形態１１１
電力低減の電力調整の後に、合計送信電力の調整を実行することをさらに含む実施形態１０２〜１１０のいずれかに記載の方法。
【０２３１】
実施形態１１２
ＷＴＲＵの合計送信電力が所定値を超えるかどうかを判断するように構成されたプロセッサを含む複数のキャリアに対して電力調整を使用する無線送受信ユニット（ＷＴＲＵ）。
【０２３２】
実施形態１１３
ＷＴＲＵの合計送信電力が所定値を超えるという条件で、複数のキャリアから少なくとも１つのキャリアを選択するように構成されたプロセッサをさらに含む実施形態１１２に記載のＷＴＲＵ。
【０２３３】
実施形態１１４
ＷＴＲＵの合計送信電力が少なくとも所定値を満たすまで、選択されたキャリアの少なくとも１つのチャネルに電力調整を適用するように構成されたプロセッサをさらに含む実施形態１１２〜１１３のいずれかに記載のＷＴＲＵ。
【０２３４】
実施形態１１５
プロセッサは、電力測定基準に基づいて、少なくとも１つのキャリアを選択するように構成される実施形態１１２〜１１４のいずれかに記載のＷＴＲＵ。
【０２３５】
実施形態１１６
電力調整は、最小伝送値に達するまで適用される実施形態１１２〜１１５のいずれかに記載のＷＴＲＵ。
【０２３６】
実施形態１１７
最小伝送値に達し、ＷＴＲＵの合計送信電力がまだ所定値を超えているという条件で、電力測定基準に基づいて、少なくとも他のキャリアを繰り返し選択するように構成されたプロセッサをさらに含む実施形態１１２〜１１６のいずれかに記載のＷＴＲＵ。
【０２３７】
実施形態１１８
最小伝送値に着することなく、ＷＴＲＵの合計送信電力が少なくとも所定値を満たすまで、電力調整を少なくとも他のキャリアに繰り返し適用するようにさらに構成されたプロセッサをさらに含む実施形態１１２〜１１７のいずれかに記載のＷＴＲＵ。
【０２３８】
実施形態１１９
すべてのチャネルについて最小伝送値に達し、ＷＴＲＵの合計送信電力がまだ所定値を超えているという条件で、すべてのチャネルに対して追加的な調整を実行するように構成されたプロセッサをさらに含む実施形態１１２〜１１８のいずれかに記載のＷＴＲＵ。
【０２３９】
特徴および要素は特定の組み合わせを用いて説明されているが、各特徴または要素は、他の特徴および要素を用いずに単独で用いることが可能であり、または他の特徴および要素を用いてもしくは用いずにさまざまな組み合わせで用いることができる。本明細書で提供される方法またはフローチャートは、汎用コンピュータまたはプロセッサによって実行するためにコンピュータで読み出し可能な記憶媒体に組み込まれているコンピュータプログラム、ソフトウェア、またはファームウェアに実装することができる。コンピュータで読み出し可能な記憶媒体の例としては、読み出し専用メモリ（ＲＯＭ）、ランダムアクセスメモリ（ＲＡＭ）、レジスタ、キャッシュメモリ、半導体記憶装置、内蔵型ハードディスクおよび取り外し可能ディスクなどの磁気媒体、光磁気媒体、およびＣＤ−ＲＯＭディスクなどの光学式媒体、ならびにデジタル多用途ディスク（ＤＶＤ）などが含まれる。
【０２４０】
適したプロセッサの例を挙げると、汎用プロセッサ、特殊用途向けプロセッサ、従来のプロセッサ、デジタル信号プロセッサ（ＤＳＰ）、複数のマイクロプロセッサ、ＤＳＰコアと共に用いる１つまたは複数のマイクロプロセッサ、コントローラ、マイクロコントローラ、特定用途向け集積回路（ＡＳＩＣ）、書き替え可能ゲートアレイ（ＦＰＧＡ）回路、その他のあらゆる種類の集積回路（ＩＣ）、および／または状態遷移機械などが含まれる。
【０２４１】
プロセッサをソフトウェアと共に使用することで、無線送受信ユニット（ＷＴＲＵ）、移動端末装置（ＵＥ）、端末、基地局、無線ネットワーク制御装置（ＲＮＣ）、または任意のホストコンピュータで使用するＲＦ送受信機（ｒａｄｉｏ  ｆｒｅｑｕｅｎｃｙ  ｔｒａｎｓｃｅｉｖｅｒ）を実装することができる。ＷＴＲＵは、カメラ、ビデオカメラモジュール、テレビ電話、スピーカーホン、振動装置、スピーカー、マイクロホン、テレビの送受信装置、ハンドフリーヘッドセット、キーボード、Ｂｌｕｅｔｏｏｔｈ（登録商標）モジュール、周波数変調（ＦＭ）無線装置、ＬＣＤ（ｌｉｑｕｉｄ  ｃｒｙｓｔａｌ  ｄｉｓｐｌａｙ）表示装置、有機発光ダイオード（ＯＬＥＤ）表示装置、デジタル音楽プレーヤー、メディアプレーヤー、ビデオゲームプレーヤーモジュール、インターネットブラウザ、および／または無線ローカルエリアネットワーク（ＷＬＡＮ）またはウルトラワイドバンド（ＵＷＢ）モジュールなど、ハードウェアおよび／またはソフトウェアに実装されたモジュールと共に使用することができる。
【図１】
2014003684.tif 000005
【図２】
2014003684.tif 000006
【図３】
2014003684.tif 000007
【図４】
2014003684.tif 000008
【図５】
2014003684.tif 000009
【図６Ａ】
2014003684.tif 000010
【図６Ｂ】
2014003684.tif 000011
【図７】
2014003684.tif 000012
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
マルチキャリア無線送受信ユニット（ＷＴＲＵ）において電力調整する方法であって、
第１のキャリアおよび第２のキャリアに関して電力不均衡が予め定められたしきい値に達したかどうかを決定することと、
前記電力不均衡が予め定められた値を下回るまで、前記第１のキャリアおよび前記第２のキャリアの少なくとも１つに電力調整を適用することと
を含むことを特徴とする方法。
【請求項２】
前記電力不均衡は、前記第１のキャリアと前記第２のキャリアとの間における総送信電力の差、一方のキャリアの総送信電力と他方のキャリアの制御チャネル電力との差、または前記第１のキャリアと前記第２のキャリアとの間における制御チャネル電力の差の１つであることを特徴とする請求項１に記載の方法。
【請求項３】
電力調整は、総送信電力の最も高いキャリアに適用されることを特徴とする請求項１に記載の方法。
【請求項４】
最小値に達し且つ前記電力不均衡が前記予め定められた値をまだ満たしているという条件で、追加の調整を行うことさらに含むことを特徴とする請求項１に記載の方法。
【請求項５】
追加の調整は、前記第１のキャリアおよび第２のキャリアのうちの残りのキャリアに適用されることを特徴とする請求項４に記載の方法。
【請求項６】
追加の電力調整は、前記残りのキャリアの少なくとも制御チャネルの電力を増加することを特徴とする請求項４に記載の方法。
【請求項７】
追加の電力調整は、前記残りのキャリアの少なくともデータチャネルの電力を増加することを特徴とする請求項４に記載の方法。
【請求項８】
電力低減の計算に関係するパラメータを含む構成メッセージを受信することをさらに含むことを特徴とする請求項４に記載の方法。
【請求項９】
電力低減の電力調整後に、総送信電力調整を実行することを特徴とする請求項４に記載の方法。
【請求項１０】
前記電力不均衡をネットワークへ通知することをさらに含むことを特徴とする請求項１に記載の方法。
【請求項１１】
通知は予め定められたしきい値に達すると送信されることを特徴とする請求項１０に記載の方法。
【請求項１２】
無線送受信ユニット（ＷＴＲＵ）であって、
第１のキャリアおよび第２のキャリアに関して電力不均衡が予め定められたしきい値に達したかどうかを決定するように構成されたプロセッサを備え、
前記プロセッサは、前記電力不均衡が予め定められた値を下回るまで、前記第１のキャリアおよび前記第２のキャリアの少なくとも１つに電力調整を適用するように構成されていることを特徴とするＷＴＲＵ。
【請求項１３】
前記電力不均衡は、前記第１のキャリアと前記第２のキャリアとの間における総送信電力の差、一方のキャリアの総送信電力と他方のキャリアの制御チャネル電力との差、または前記第１のキャリアと前記第２のキャリアとの間における制御チャネル電力の差の１つであることを
特徴とする請求項１２に記載のＷＴＲＵ。